(57)【特許請求の範囲】
【請求項１】
ワイヤレス通信のための方法であって、
ユーザ機器（ＵＥ）において、受信データの第１のセットを解釈することと、
受信データの前記第１のセットを利用する前記ＵＥにおいて、フレキシブル帯域幅キャリアに関連付けられている帯域幅情報を決定することとを備え、前記帯域幅情報は、データの第２のセットが前記帯域幅情報を含むという点でデータの前記第１のセットと異なる、前記データの第２のセットを備える、
前記帯域幅情報を決定することは、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および先験的アプローチの少なくとも１つを用いて決定することを含む、方法。
【請求項２】
前記帯域幅情報は、前記フレキシブル帯域幅キャリアに関連付けられている少なくとも１つの帯域幅スケーリング係数または帯域幅を備える請求項１に記載の方法。
【請求項３】
前記ＵＥにおいて、前記フレキシブル帯域幅キャリアに関連付けられている前記決定された帯域幅情報を利用して前記フレキシブル帯域幅キャリアに関してモビリティ管理を円滑にすることをさらに備える請求項１に記載の方法。
【請求項４】
前記フレキシブル帯域幅キャリアに関連付けられている前記帯域幅情報を決定することは、
帯域幅スケーリング係数列を利用して前記フレキシブル帯域幅キャリアに関連付けられている帯域幅スケーリング係数を決定することを備える請求項１に記載の方法。
【請求項５】
前記帯域幅スケーリング係数列は、ランダムな帯域幅スケーリング係数列を備える請求項４に記載の方法。
【請求項６】
前記帯域幅スケーリング係数列は、事前に決定された帯域幅スケーリング係数列を備える請求項４に記載の方法。
【請求項７】
前記事前に決定された帯域幅スケーリング係数列は、増加帯域幅係数列を備える請求項６に記載の方法。
【請求項８】
前記事前に決定された帯域幅スケーリング係数列は、受信データの前記第１のセットを送信するセルの現在の帯域幅スケーリング係数から始まる帯域幅スケーリング係数列を備える請求項６に記載の方法。
【請求項９】
前記帯域幅スケーリング係数列は、前記ＵＥによって少なくとも決定され、その後使用できるように格納されるか、またはメーカーによって設定されるか、またはオペレータによって設定されるか、またはＳＩＭで設定される請求項４に記載の方法。
【請求項１０】
前記事前に決定された帯域幅スケーリング係数列を利用することは、
前記事前に決定された帯域幅スケーリング係数列からの前記帯域幅スケーリング係数に基づきフレキシブル帯域幅セルの１つまたは複数のセル探索とブラインドデコードとを利用することを備える請求項６に記載の方法。
【請求項１１】
前記フレキシブル帯域幅キャリアに関連付けられている前記帯域幅情報を決定することは、
格納されている帯域幅スケーリング係数を利用して前記フレキシブル帯域幅キャリアに関連付けられている前記帯域幅情報を決定することを備える請求項１に記載の方法。
【請求項１２】
前記フレキシブル帯域幅キャリアに関連付けられている前記帯域幅情報を決定することは、
所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定することを備える請求項１に記載の方法。
【請求項１３】
前記先験的情報は、少なくとも前記ＵＥに送信されるか、または前記ＵＥで計算され、その後使用されるか、またはＳＩＭを通じて前記ＵＥに供給される請求項１２に記載の方法。
【請求項１４】
前記帯域幅情報は、位置に依存する請求項１に記載の方法。
【請求項１５】
前記フレキシブル帯域幅キャリアに関連付けられている前記帯域幅情報を決定することは、
事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、前記フレキシブル帯域幅キャリアに関連付けられている前記帯域幅情報を決定することを備える請求項１に記載の方法。
【請求項１６】
モビリティ管理を円滑にすることは、より多くのフレキシブル帯域幅キャリアのうちの前記１つと別のフレキシブル帯域幅キャリアとの間のモビリティを円滑にすることを備え、
前記フレキシブル帯域幅キャリアは、同じ帯域幅スケーリング係数を利用する請求項３に記載の方法。
【請求項１７】
モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、異なる帯域幅スケーリング係数を利用する請求項３に記載の方法。
【請求項１８】
モビリティ管理を円滑にすることは、より多くのフレキシブル帯域幅キャリアのうちの前記１つと通常帯域幅キャリアとの間のモビリティを円滑にすることを備える請求項３に記載の方法。
【請求項１９】
ワイヤレス通信システムであって、
ユーザ機器（ＵＥ）において、受信データの第１のセットを解釈するための手段と、
受信データの前記第１のセットを利用する前記ＵＥにおいて、フレキシブル帯域幅キャリアに関連付けられている帯域幅情報を決定するための手段であって、前記帯域幅情報は、データの第２のセットが前記帯域幅情報を含むという点でデータの前記第１のセットと異なる、前記データの第２のセットを備える、手段を備え、
前記帯域幅情報を決定することは、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および先験的アプローチの少なくとも１つを用いて決定することを含む、ワイヤレス通信システム。
【請求項２０】
前記ＵＥにおいて、前記フレキシブル帯域幅キャリアに関連付けられている前記決定された帯域幅情報を利用して前記フレキシブル帯域幅キャリアに関してモビリティ管理を円滑にするための手段をさらに備える請求項１９に記載のワイヤレス通信システム。
【請求項２１】
前記フレキシブル帯域幅キャリアに関連付けられている前記帯域幅情報を決定するための前記手段は、
ランダムな帯域幅スケーリング係数列を利用して前記フレキシブル帯域幅キャリアに関連付けられている前記帯域幅情報を決定するための手段を備える請求項１９に記載のワイヤレス通信システム。
【請求項２２】
前記フレキシブル帯域幅キャリアに関連付けられている前記帯域幅情報を決定するための前記手段は、
事前に決定された帯域幅スケーリング係数列を利用して前記フレキシブル帯域幅キャリアに関連付けられている前記帯域幅情報を決定するための手段を備える請求項１９に記載のワイヤレス通信システム。
【請求項２３】
前記事前に決定された帯域幅スケーリング係数列は、増加帯域幅係数列を備える請求項２２に記載のワイヤレス通信システム。
【請求項２４】
前記事前に決定された帯域幅スケーリング係数列は、受信データの前記第１のセットを送信するセルの現在の帯域幅スケーリング係数から始まる帯域幅スケーリング係数列を備える請求項２２に記載のワイヤレス通信システム。
【請求項２５】
前記事前に決定された帯域幅スケーリング係数列を利用するための前記手段は、
前記事前に決定された帯域幅スケーリング係数列からの帯域幅スケーリング係数に基づきフレキシブル帯域幅セルの１つまたは複数のセル探索とブラインドデコードとを利用するための手段を備える請求項２２に記載のワイヤレス通信システム。
【請求項２６】
前記フレキシブル帯域幅キャリアに関連付けられている前記帯域幅情報を決定するための前記手段は、
格納されている帯域幅スケーリング係数を利用して前記フレキシブル帯域幅キャリアに関連付けられている前記帯域幅情報を決定するための手段を備える請求項１９に記載のワイヤレス通信システム。
【請求項２７】
前記フレキシブル帯域幅キャリアに関連付けられている前記帯域幅情報を決定するための前記手段は、
１つまたは複数のスペクトル測定結果を利用して前記フレキシブル帯域幅キャリアに関連付けられている前記帯域幅情報を決定するための手段を備える請求項１９に記載のワイヤレス通信システム。
【請求項２８】
前記フレキシブル帯域幅キャリアに関連付けられている前記帯域幅情報を決定するための前記手段は、
１つまたは複数のスペクトル計算結果を利用して前記フレキシブル帯域幅キャリアに関連付けられている前記帯域幅情報を決定するための手段を備える請求項１９に記載のワイヤレス通信システム。
【請求項２９】
前記フレキシブル帯域幅キャリアに関連付けられている前記帯域幅情報を決定するための前記手段は、
前記フレキシブル帯域幅キャリアの１つまたは複数の帯域幅スケーリング係数に関する先験的情報を利用して前記フレキシブル帯域幅キャリアに関連付けられている前記帯域幅スケーリング係数を決定するための手段を備える請求項１９に記載のワイヤレス通信システム。
【請求項３０】
前記フレキシブル帯域幅キャリアに関連付けられている前記帯域幅情報を決定するための前記手段は、
所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定するための手段を備える請求項１９に記載のワイヤレス通信システム。
【請求項３１】
ワイヤレス通信システムのためのコンピュータ読取可能記録媒体であって、
ユーザ機器（ＵＥ）において、受信データの第１のセットを解釈するためのコードと、
受信データの前記第１のセットを利用する前記ＵＥにおいて、フレキシブル帯域幅キャリアに関連付けられている帯域幅情報を決定するためのコードであって、前記帯域幅情報は、データの第２のセットが前記帯域幅情報を含むという点でデータの前記第１のセットと異なる、前記データの第２のセットを備える、コードとを備え、
前記帯域幅情報を決定することは、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および先験的アプローチの少なくとも１つを用いて決定することを含む、
ワイヤレス通信システムのためのコンピュータ読取可能記録媒体。
【請求項３２】
前記ＵＥにおいて、前記フレキシブル帯域幅キャリアに関連付けられている前記決定された帯域幅情報を利用して前記フレキシブル帯域幅キャリアに関してモビリティ管理を円滑にするためのコードをさらに備える請求項３１に記載のコンピュータ読取可能記録媒体。
【請求項３３】
前記フレキシブル帯域幅キャリアに関連付けられている前記帯域幅情報を決定するための前記コードは、
事前に決定された帯域幅スケーリング係数列を利用して前記フレキシブル帯域幅キャリアに関連付けられている前記帯域幅情報を決定するためのコードを備える請求項３１に記載のコンピュータ読取可能記録媒体。
【請求項３４】
前記事前に決定された帯域幅スケーリング係数列は、増加帯域幅係数列を備える請求項３３に記載のコンピュータ読取可能記録媒体。
【請求項３５】
前記事前に決定された帯域幅スケーリング係数列は、受信データの前記第１のセットを送信するセルの現在の帯域幅スケーリング係数から始まる帯域幅スケーリング係数列を備える請求項３３に記載のコンピュータ読取可能記録媒体。
【請求項３６】
前記事前に決定された帯域幅スケーリング係数列を利用するための前記コードは、
前記事前に決定された帯域幅スケーリング係数列からの帯域幅スケーリング係数に基づきフレキシブル帯域幅セルの１つまたは複数のセル探索とブラインドデコードとを利用するためのコードを備える請求項３３に記載のコンピュータ読取可能記録媒体。
【請求項３７】
前記フレキシブル帯域幅キャリアに関連付けられている前記帯域幅情報を決定するための前記コードは、
格納されている帯域幅情報を利用して前記フレキシブル帯域幅キャリアに関連付けられている前記帯域幅情報を決定するためのコードを備える請求項３１に記載のコンピュータ読取可能記録媒体。
【請求項３８】
ユーザ機器（ＵＥ）において、受信データの第１のセットを解釈することと、
受信データの前記第１のセットを利用する前記ＵＥにおいて、フレキシブル帯域幅キャリアに関連付けられている帯域幅情報を決定することと、前記帯域幅情報は、データの第２のセットが前記帯域幅情報を含むという点でデータの前記第１のセットと異なる、前記データの第２のセットを備える、前記帯域幅情報を決定することは、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および先験的アプローチの少なくとも１つを用いて決定することを含む、
を行うように構成された少なくとも１つのプロセッサと、
前記少なくとも１つのプロセッサに結合された少なくとも１つのメモリを備えるワイヤレス通信デバイス。
【請求項３９】
前記少なくとも１つのプロセッサは、
前記ＵＥにおいて、前記フレキシブル帯域幅キャリアに関連付けられている前記決定された帯域幅情報を利用して前記フレキシブル帯域幅キャリアに関してモビリティ管理を円滑にするようにさらに構成される請求項３８に記載のワイヤレス通信デバイス。
【請求項４０】
前記フレキシブル帯域幅キャリアに関連付けられている前記帯域幅情報を決定するように構成された前記少なくとも１つのプロセッサは、
ランダムな帯域幅スケーリング係数列を利用して前記フレキシブル帯域幅キャリアに関連付けられている前記帯域幅情報を決定するように構成される請求項３８に記載のワイヤレス通信デバイス。
【請求項４１】
前記フレキシブル帯域幅キャリアに関連付けられている前記帯域幅情報を決定するように構成された前記少なくとも１つのプロセッサは、
事前に決定された帯域幅スケーリング係数列を利用して前記フレキシブル帯域幅キャリアに関連付けられている前記帯域幅情報を決定するように構成される請求項３８に記載のワイヤレス通信デバイス。
【請求項４２】
前記事前に決定された帯域幅スケーリング係数列は、増加帯域幅スケーリング係数列を備える請求項４１に記載のワイヤレス通信デバイス。
【請求項４３】
前記事前に決定された帯域幅スケーリング係数列は、受信データの前記第１のセットを送信するセルの現在の帯域幅スケーリング係数から始まる帯域幅スケーリング係数列を備える請求項４１に記載のワイヤレス通信デバイス。
【請求項４４】
前記事前に決定された帯域幅スケーリング係数列を利用するように構成された前記少なくとも１つのプロセッサは、
前記事前に決定された帯域幅スケーリング係数列からの帯域幅スケーリング係数に基づきフレキシブル帯域幅セルの１つまたは複数のセル探索とブラインドデコードとを利用するように構成される請求項４１に記載のワイヤレス通信デバイス。
【請求項４５】
前記フレキシブル帯域幅キャリアに関連付けられている前記帯域幅情報を決定するように構成された前記少なくとも１つのプロセッサは、
格納されている帯域幅情報を利用して前記フレキシブル帯域幅キャリアに関連付けられている前記帯域幅情報を決定するように構成される請求項３８に記載のワイヤレス通信デバイス。
【請求項４６】
前記フレキシブル帯域幅キャリアに関連付けられている前記帯域幅情報を決定するように構成された前記少なくとも１つのプロセッサは、
事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、前記フレキシブル帯域幅キャリアに関連付けられている前記帯域幅情報を決定するように構成される請求項３８に記載のワイヤレス通信デバイス。
【請求項４７】
モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、同じ帯域幅情報を利用して前記フレキシブル帯域幅キャリアに関連付けられている前記帯域幅情報を決定する請求項３９に記載のワイヤレス通信デバイス。
【請求項４８】
モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、異なる帯域幅スケーリング係数を利用して前記フレキシブル帯域幅キャリアに関連付けられている前記帯域幅情報を決定する請求項３９に記載のワイヤレス通信デバイス。
【請求項４９】
モビリティ管理を円滑にすることは、より多くのフレキシブル帯域幅キャリアのうちの前記１つと通常帯域幅キャリアとの間のモビリティを円滑にして前記フレキシブル帯域幅キャリアに関連付けられている前記帯域幅情報を決定することを備える請求項３９に記載のワイヤレス通信デバイス。
【発明の詳細な説明】
【技術分野】
【０００１】
相互関連出願
本特許出願は、本特許出願の譲受人に譲渡され、すべての目的に関して参照により本明細書に明確に組み込まれている、２０１１年１１月７日に出願した仮出願第６１／５５６，７７７号、名称「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」の優先権を主張するものである。本特許出願は、本特許出願の譲受人に譲渡され、すべての目的に関して参照により明確に本明細書に組み込まれている、２０１１年１２月９日に出願した仮出願第６１／５６８，７４２号、名称「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」の優先権も主張するものである。本特許出願は、本特許出願の譲受人に譲渡され、すべての目的に関して参照により明確に本明細書に組み込まれている、２０１２年３月６日に出願した仮出願第６１／６０７，５０２号、名称「ＭＯＢＩＬＩＴＹ  ＭＡＮＡＧＥＭＥＮＴ  ＦＯＲ  ＦＬＥＸＩＢＬＥ  ＢＡＮＤＷＩＤＴＨ  ＳＹＳＴＥＭＳ  ＡＮＤ  ＤＥＶＩＣＥＳ」の優先権も主張するものである。
【背景技術】
【０００２】
ワイヤレス通信システムは、たとえば、音声、ビデオ、パケットデータ、メッセージング、放送番組などの様々な種類の通信コンテンツを提供するため広く展開されている。これらのシステムは、利用可能なシステムリソース（たとえば、時間、周波数、および電力）を共有することによって複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムが挙げられる。
【０００３】
サービスプロバイダは、典型的には、いくつかの地理的地域において排他的に使用するための周波数スペクトルのブロックを割り振られる。これらの周波数のブロックは、一般的に、使用されている複数の多元接続技術に関係なく監督規制機関によって割り当てられる。ほとんどの場合において、これらのブロックは、チャネル帯域幅の整数倍ではなく、したがって、スペクトルの利用されていない部分があり得る。ワイヤレスデバイスの使用が増えたことで、このスペクトルの需要と価値も、同様に急上昇している。しかしながら、いくつかの場合において、ワイヤレス通信システムは割り振られたスペクトルの部分を、それらの部分が標準または通常波形に適合するほど十分には大きくないので利用しないことがある。たとえば、ＬＴＥ標準の開発者は、この問題を認識して、６つの異なるシステム帯域幅、すなわち、１．４、３、５、１０、１５、および２０ＭＨｚをサポートすることを決定した。別のアプローチとして、通常波形に適合しない可能性のあるスペクトルの部分を利用するワイヤレス通信システムを伴い得るフレキシブル帯域幅キャリアシステムを利用することが挙げられる。しかし、混合されたレガシー帯域幅キャリアシステムとフレキシブル帯域幅キャリアシステムとの間、またはさらには他のフレキシブル帯域幅キャリアシステムとの間の、移行を円滑にするなど、フレキシブル帯域幅キャリアシステムを利用したときに、異なるモビリティ管理問題が生じ得る。
【発明の概要】
【０００４】
フレキシブル帯域幅を利用するワイヤレス通信システムのための方法、システム、およびデバイスが提供される。いくつかの実施形態は、混合されたレガシーおよびフレキシブル帯域幅キャリアシステムに対するモビリティ管理を行う。いくつかの実施形態は、ユーザ機器（ＵＥ）において、帯域幅スケーリング係数Ｎおよび／またはフレキシブル帯域幅などの、帯域幅情報を決定するためのアプローチを含む。いくつかの場合において、帯域幅情報は、ＵＥに信号伝達され得ない。その結果、ＵＥは、フレキシブル帯域幅セルであってもよいが、いくつかの場合において通常帯域幅（すなわち、Ｎ＝１）セルであってもよい、セルに関する情報を取得し、復号する際にどの帯域幅情報仮説を使用するかを決定しなければならない場合がある。異なるアプローチが、帯域幅情報を決定する際に利用され得るが、このアプローチは、限定はしないが、ランダム順序付け帯域幅スケーリング係数アプローチ、遅延順序付け帯域幅スケーリング係数アプローチ、ＵＥネイバーレコード（UE Neighbor Record）に帯域幅スケーリング係数値を格納するアプローチ、スペクトル測定アプローチ、スペクトル計算アプローチ、および／または先験的アプローチを含む。他のアプローチとして、帯域幅スケーリング係数への周波数のマッピング（たとえば、探索メカニズムにおける）が挙げられる。これらのアプローチも、帯域幅スケーリング係数よりはむしろフレキシブル帯域幅に基づくものとしてよい。
【０００５】
フレキシブル帯域幅キャリアシステムは、フレキシブル波形を利用することを通じて通常波形に適合するほど十分には大きくない可能性のあるスペクトルの部分を利用することができるワイヤレス通信システムを伴い得る。フレキシブル帯域幅キャリアシステムは、フレーム長のディレーションを生じさせる（dilate）こと、またはたとえば、通常帯域幅キャリアシステムに関してフレキシブル帯域幅キャリアシステムのチップレートをスケールダウンする（scale down）ことを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムのチップレートを伸長する（expand）か、またはスケールアップする（scale up）ことを通じてフレキシブル波形の帯域幅を増やす（increase）。いくつかの実施形態は、フレーム長を減らす（decrease）か、またはフレキシブル帯域幅キャリアシステムの帯域幅をスケールアップすることを通じてフレキシブル波形の帯域幅を増やす。
【０００６】
いくつかの実施形態は、ワイヤレス通信のための方法を含み、この方法はユーザ機器（ＵＥ）において、受信データの第１のセットを解釈すること、および／または受信データの第１のセットを利用するＵＥにおいて、フレキシブル帯域幅キャリアに関連付けられている帯域幅情報を決定することを含み、帯域幅情報は、データの第２のセットが帯域幅情報を含むという点でデータの第１のセットと異なる、データの第２のセットを備える。
【０００７】
帯域幅情報は、フレキシブル帯域幅キャリアに関連付けられている少なくとも１つの帯域幅スケーリング係数または帯域幅を含むものとしてよい。いくつかの実施形態は、ＵＥにおいて、フレキシブル帯域幅キャリアに関連付けられている決定された帯域幅情報を利用してフレキシブル帯域幅キャリアに関してモビリティ管理を円滑にすることを含む。
【０００８】
フレキシブル帯域幅キャリアに関連付けられている帯域幅情報を決定することは、帯域幅スケーリング係数列を利用してフレキシブル帯域幅キャリアに関連付けられている帯域幅スケーリング係数を決定することを含み得る。この帯域幅スケーリング係数列は、ランダムな帯域幅スケーリング係数列を含んでいてもよい。この帯域幅スケーリング係数列は、事前に決定された帯域幅スケーリング係数列を含んでいてもよい。事前に決定されたこの係数列は、増加帯域幅係数列を含んでいてもよい。事前に決定されたこの係数列は、受信データの第１のセットを送信するセルの現在の帯域幅スケーリング係数から始まる帯域幅スケーリング係数列を含んでいてもよい。帯域幅スケーリング係数列は、ＵＥによって少なくとも決定され、その後使用できるように格納されるか、またはメーカーによって設定されるか、またはオペレータによって設定されるか、またはＳＩＭで設定されるものとしてよい。事前に決定された帯域幅スケーリング係数列を利用することは、事前に決定された係数列からの帯域幅スケーリング係数に基づきフレキシブル帯域幅セルの１つまたは複数のセル探索とブラインドデコードとを利用することを含み得る。
【０００９】
フレキシブル帯域幅キャリアに関連付けられている帯域幅情報を決定することは、格納されている帯域幅スケーリング係数を利用してフレキシブル帯域幅キャリアに関連付けられている帯域幅情報を決定することを含み得る。フレキシブル帯域幅キャリアに関連付けられている帯域幅情報を決定することは、１つまたは複数のスペクトル測定結果を利用してフレキシブル帯域幅キャリアに関連付けられている帯域幅情報を決定することを含み得る。フレキシブル帯域幅キャリアに関連付けられている帯域幅情報を決定することは、１つまたは複数のスペクトル計算結果を利用してフレキシブル帯域幅キャリアに関連付けられている帯域幅情報を決定することを含み得る。フレキシブル帯域幅キャリアに関連付けられている帯域幅情報を決定することは、フレキシブル帯域幅キャリアの１つまたは複数の帯域幅スケーリング係数に関する先験的情報を利用してフレキシブル帯域幅キャリアに関連付けられている帯域幅情報を決定することを含み得る。
【００１０】
フレキシブル帯域幅キャリアに関連付けられている帯域幅情報を決定することは、所与のエリア内に１つまたは複数の帯域幅スケーリング係数を持つ１つまたは複数の帯域幅キャリアを展開する確率に関する先験的情報を利用してフレキシブル帯域幅キャリアに関連付けられている帯域幅情報を決定することを含み得る。先験的情報は、少なくともＵＥに送信されるか、またはＵＥで計算され、その後使用されるか、またはＳＩＭを通じてＵＥに供給され得る。いくつかの実施形態において、帯域幅情報は位置に依存する。
【００１１】
フレキシブル帯域幅キャリアに関連付けられている帯域幅情報を決定することは、事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、フレキシブル帯域幅キャリアに関連付けられている帯域幅情報を決定することを含み得る。
【００１２】
モビリティ管理を円滑にすることは、より多くのフレキシブル帯域幅キャリアのうちの１つと別のフレキシブル帯域幅キャリアとの間のモビリティを円滑にすることを含むものとしてよく、フレキシブル帯域幅キャリアは、同じ帯域幅スケーリング係数を利用する。モビリティ管理を円滑にすることは、より多くのフレキシブル帯域幅キャリアのうちの１つと別のフレキシブル帯域幅キャリアとの間のモビリティを円滑にすることを含むものとしてよく、フレキシブル帯域幅キャリアは、異なる帯域幅スケーリング係数を利用する。モビリティ管理を円滑にすることは、より多くのフレキシブル帯域幅キャリアのうちの１つと通常帯域幅キャリアとの間のモビリティを円滑にすることを含み得る。
【００１３】
いくつかの実施形態は、ワイヤレス通信システムを備える。システムは、ユーザ機器（ＵＥ）において、受信データの第１のセットを解釈するための手段、および／または受信データの第１のセットを利用するＵＥにおいて、フレキシブル帯域幅キャリアに関連付けられている帯域幅情報を決定するための手段を備えることができ、帯域幅情報は、データの第２のセットが帯域幅情報を含むという点でデータの第１のセットと異なる、データの第２のセットを備える。
【００１４】
ワイヤレス通信システムは、ＵＥにおいて、フレキシブル帯域幅キャリアに関連付けられている決定された帯域幅情報を利用してフレキシブル帯域幅キャリアに関してモビリティ管理を円滑にするための手段を備えることができる。
【００１５】
フレキシブル帯域幅キャリアに関連付けられている帯域幅情報を決定するための手段は、ランダムな帯域幅スケーリング係数列を利用してフレキシブル帯域幅キャリアに関連付けられている帯域幅情報を決定するための手段を含み得る。フレキシブル帯域幅キャリアに関連付けられている帯域幅情報を決定するための手段は、事前に決定された帯域幅スケーリング係数列を利用してフレキシブル帯域幅キャリアに関連付けられている帯域幅情報を決定するための手段を含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。事前に決定された帯域幅スケーリング係数列を利用するための手段は、事前に決定された係数列からの帯域幅スケーリング係数に基づきフレキシブル帯域幅セルの１つまたは複数のセル探索とブラインドデコードとを利用するための手段を含み得る。
【００１６】
フレキシブル帯域幅キャリアに関連付けられている帯域幅情報を決定するための手段は、格納されている帯域幅スケーリング係数を利用してフレキシブル帯域幅キャリアに関連付けられている帯域幅情報を決定するための手段を含み得る。フレキシブル帯域幅キャリアに関連付けられている帯域幅情報を決定するための手段は、１つまたは複数のスペクトル測定結果を利用してフレキシブル帯域幅キャリアに関連付けられている帯域幅情報を決定するための手段を含み得る。フレキシブル帯域幅キャリアに関連付けられている帯域幅情報を決定するための手段は、１つまたは複数のスペクトル計算結果を利用してフレキシブル帯域幅キャリアに関連付けられている帯域幅情報を決定するための手段を含み得る。フレキシブル帯域幅キャリアに関連付けられている帯域幅情報を決定するための手段は、フレキシブル帯域幅キャリアの１つまたは複数の帯域幅スケーリング係数に関する先験的情報を利用してフレキシブル帯域幅キャリアに関連付けられている帯域幅スケーリング係数を決定するための手段を含み得る。フレキシブル帯域幅キャリアに関連付けられている帯域幅情報を決定するための手段は、所与のエリア内に１つまたは複数の帯域幅スケーリング係数を持つ１つまたは複数の帯域幅キャリアを展開する確率に関する先験的情報を利用してフレキシブル帯域幅キャリアに関連付けられている帯域幅情報を決定するための手段を含み得る。
【００１７】
いくつかの実施形態は、非一時的なコンピュータ可読媒体を備えることができるワイヤレス通信システムに対するコンピュータプログラム製品を含み、このコンピュータ可読媒体はユーザ機器（ＵＥ）において、受信データの第１のセットを解釈するためのコード、および／または受信データの第１のセットを利用するＵＥにおいて、フレキシブル帯域幅キャリアに関連付けられている帯域幅情報を決定するためのコードを格納することができ、帯域幅情報は、データの第２のセットが帯域幅情報を含むという点でデータの第１のセットと異なる、データの第２のセットを備える。
【００１８】
非一時的なコンピュータ可読媒体は、ＵＥにおいて、フレキシブル帯域幅キャリアに関連付けられている決定された帯域幅情報を利用してフレキシブル帯域幅キャリアに関してモビリティ管理を円滑にするためのコードを備えることができる。フレキシブル帯域幅キャリアに関連付けられている帯域幅情報を決定するためのコードは、ランダムな帯域幅スケーリング係数列を利用してフレキシブル帯域幅キャリアに関連付けられている帯域幅情報を決定するためのコードを含み得る。フレキシブル帯域幅キャリアに関連付けられている帯域幅情報を決定するためのコードは、事前に決定された帯域幅スケーリング係数列を利用してフレキシブル帯域幅キャリアに関連付けられている帯域幅情報を決定するためのコードを含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。事前に決定された帯域幅スケーリング係数列を利用するためのコードは、事前に決定された係数列からの帯域幅スケーリング係数に基づきフレキシブル帯域幅セルの１つまたは複数のセル探索とブラインドデコードとを利用するためのコードを含み得る。
【００１９】
フレキシブル帯域幅キャリアに関連付けられている帯域幅情報を決定するためのコードは、格納されている帯域幅情報を利用してフレキシブル帯域幅キャリアに関連付けられている帯域幅情報を決定するためのコードを含み得る。フレキシブル帯域幅キャリアに関連付けられている帯域幅情報を決定するためのコードは、１つまたは複数のスペクトル測定結果を利用してフレキシブル帯域幅キャリアに関連付けられている帯域幅情報を決定するためのコードを含み得る。フレキシブル帯域幅キャリアに関連付けられている帯域幅情報を決定するためのコードは、１つまたは複数のスペクトル計算結果を利用してフレキシブル帯域幅キャリアに関連付けられている帯域幅情報を決定するためのコードを含み得る。フレキシブル帯域幅キャリアに関連付けられている帯域幅情報を決定するためのコードは、フレキシブル帯域幅キャリアの１つまたは複数の帯域幅スケーリング係数に関する先験的情報を利用してフレキシブル帯域幅キャリアに関連付けられている帯域幅情報を決定するためのコードを含み得る。フレキシブル帯域幅キャリアに関連付けられている帯域幅情報を決定するためのコードは、所与のエリア内に１つまたは複数の帯域幅スケーリング係数を持つ１つまたは複数の帯域幅キャリアを展開する確率に関する先験的情報を利用してフレキシブル帯域幅キャリアに関連付けられている帯域幅情報を決定するためのコードを含み得る。
【００２０】
いくつかの実施形態は、少なくとも１つのプロセッサを備えることができるワイヤレス通信デバイスを備え、このプロセッサはユーザ機器（ＵＥ）において、受信データの第１のセットを解釈し、および／または受信データの第１のセットを利用するＵＥにおいて、フレキシブル帯域幅キャリアに関連付けられている帯域幅情報を決定するように構成されるものとしてよく、帯域幅情報は、データの第２のセットが帯域幅情報を含むという点でデータの第１のセットと異なる、データの第２のセットを備える。ワイヤレス通信デバイスは、少なくとも１つのプロセッサに結合された少なくとも１つのメモリも備えることができる。
【００２１】
少なくとも１つのプロセッサは、ＵＥにおいて、フレキシブル帯域幅キャリアに関連付けられている決定された帯域幅情報を利用してフレキシブル帯域幅キャリアに関してモビリティ管理を円滑にするようにさらに構成され得る。フレキシブル帯域幅キャリアに関連付けられている帯域幅情報を決定するように構成された少なくとも１つのプロセッサは、ランダムな帯域幅スケーリング係数列を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、事前に決定された帯域幅スケーリング係数列を利用してフレキシブル帯域幅キャリアに関連付けられている帯域幅情報を決定するように構成され得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。
【００２２】
事前に決定された帯域幅スケーリング係数列を利用するように構成された少なくとも１つのプロセッサは、事前に決定された係数列からの帯域幅スケーリング係数に基づきフレキシブル帯域幅セルの１つまたは複数のセル探索とブラインドデコードとを利用するように構成され得る。フレキシブル帯域幅キャリアに関連付けられている帯域幅情報を決定するように構成された少なくとも１つのプロセッサは、格納されている帯域幅情報を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、１つまたは複数のスペクトル測定結果を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、１つまたは複数のスペクトル計算結果を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、フレキシブル帯域幅キャリアの１つまたは複数の帯域幅スケーリング係数に関する先験的情報を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、所与のエリア内に１つまたは複数の帯域幅スケーリング係数を持つ１つまたは複数の帯域幅キャリアを展開する確率に関する先験的情報を利用してフレキシブル帯域幅キャリアに関連付けられている帯域幅情報を決定するように構成され得る。フレキシブル帯域幅キャリアに関連付けられている帯域幅情報を決定するように構成された少なくとも１つのプロセッサは、事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、フレキシブル帯域幅キャリアに関連付けられている帯域幅情報を決定するように構成され得る。
【００２３】
いくつかの実施形態において、モビリティ管理を円滑にすることは、より多くのフレキシブル帯域幅キャリアのうちの１つと別のフレキシブル帯域幅キャリアとの間のモビリティを円滑にすることを含み、フレキシブル帯域幅キャリアは、同じ帯域幅情報を利用してフレキシブル帯域幅キャリアに関連付けられている帯域幅情報を決定する。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、異なる帯域幅スケーリング係数を利用してフレキシブル帯域幅キャリアに関連付けられている帯域幅情報を決定する。モビリティ管理を円滑にすることは、より多くのフレキシブル帯域幅キャリアのうちの１つと通常帯域幅キャリアとの間のモビリティを円滑にしてフレキシブル帯域幅キャリアに関連付けられている帯域幅情報を決定することを含み得る。
【００２４】
前記の説明では、次の詳細な説明を理解しやすくするために本開示に従って例の特徴および技術的利点の概略をかなり広範にわたって述べている。追加の特徴および利点について以下で説明する。開示されている概念および特定の例は、本開示の同じ目的を実施するために他の構造物を修正または設計するための基盤として容易に利用され得る。このような同等の構造は、付属の請求項の精神および範囲から逸脱しない。本明細書で開示されている概念に特徴的であると考えられる特徴は、その編成および動作方法の両方に関して、関連する利点と併せて、付属の図面に関連して考察するときに次の説明を参照することで理解しやすくなる。これらの特徴の各々は、例示および説明を目的として提示されており、請求項の制限の定義として提示されていない。
【００２５】
本発明の性質および利点は、次の図面を参照することでさらに深く理解できる。添付図において、類似のコンポーネントまたは特徴は、同じ参照ラベルを有するものとしてよい。さらに、同じタイプの様々なコンポーネントは、参照ラベルの後にダッシュと類似のコンポーネントを区別する第２のラベルを付けることによって区別することができる。第１の参照ラベルのみが明細書中で使用されている場合、説明は、第２の参照ラベルに関係なく同じ第１の参照ラベルを有する類似のコンポーネントのうちの１つに適用可能である。
【図面の簡単な説明】
【００２６】
【図１】様々な実施形態によるワイヤレス通信システムのブロック図。
【図２Ａ】様々な実施形態によるフレキシブル波形が通常波形に適合するほど十分には広くないスペクトルの一部に適合するワイヤレス通信システムの一例を示す図。
【図２Ｂ】様々な実施形態によるフレキシブル波形が帯域端に近いスペクトルの一部に適合するワイヤレス通信システムの一例を示す図。
【図３】様々な実施形態によるワイヤレス通信システムのブロック図。
【図４】様々な実施形態によるモビリティ管理手順を示すブロック図。
【図５】様々な実施形態によるいくつかのモビリティ管理シナリオを含む表。
【図６Ａ】様々な実施形態による流れ図を示す図。
【図６Ｂ】様々な実施形態による流れ図を示す図。
【図７】様々な実施形態によるスペクトル図。
【図８】様々な実施形態による通信ダイアグラムを示す図。
【図９】様々な実施形態によるデバイスのブロック図。
【図１０】様々な実施形態によるユーザ機器のブロック図。
【図１１】様々な実施形態によるワイヤレス通信システムのブロック図。
【図１２】様々な実施形態による基地局とユーザ機器とを含むワイヤレス通信システムのブロック図。
【図１３Ａ】様々な実施形態によるワイヤレス通信方法の流れ図。
【図１３Ｂ】様々な実施形態によるワイヤレス通信方法の流れ図。
【発明を実施するための形態】
【００２７】
フレキシブル帯域幅を利用するワイヤレス通信システムのための方法、システム、およびデバイスが提供される。いくつかの実施形態は、混合されたレガシーおよびフレキシブル帯域幅キャリアシステムに対するモビリティ管理を行う。いくつかの実施形態は、ユーザ機器（ＵＥ）において、帯域幅スケーリング係数Ｎおよび／またはフレキシブル帯域幅などの、帯域幅情報を決定するためのアプローチを含む。いくつかの場合において、帯域幅情報は、ＵＥに信号伝達され得ない。その結果、ＵＥは、フレキシブル帯域幅セルであってもよいが、いくつかの場合において通常帯域幅（すなわち、Ｎ＝１）セルであってもよい、セルに関する情報を取得し、復号する際にどの帯域幅情報仮説を使用するかを決定しなければならない場合がある。異なるアプローチが、帯域幅情報を決定する際に利用され得るが、このアプローチは、限定はしないが、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および／または先験的アプローチを含む。他のアプローチとして、帯域幅スケーリング係数への周波数のマッピング（たとえば、探索メカニズムにおける）が挙げられる。これらのアプローチは並列実行されるか、または場合によっては逐次実行され得る。これらの異なるアプローチを組み合わせることもできる。これらのアプローチも、帯域幅スケーリング係数よりはむしろフレキシブル帯域幅に基づくものとしてよい。
【００２８】
いくつかの実施形態は、データ転送速度の遅いアプリケーション用に設計され、ソフトリフレーミングシナリオでも使用され得る１つまたは複数のフレキシブル帯域幅キャリアネットワークを含む。混合されたレガシーおよびフレキシブル帯域幅キャリアの展開（たとえば、ＧＳＭ（登録商標）、ＵＭＴＳ、およびフレキシブル帯域幅キャリアネットワーク）において、マルチモードフレキシブル帯域幅ＵＥは、これらのネットワーク間を移行することができるものとしてよい。実施形態は、これらの混合システムにおいて生じ得る、限定はしないが、ＵＭＴＳまたはＧＳＭなどの、既存のシステムによりネットワーク内にフレキシブル帯域幅キャリアまたはセルを展開することに関するモビリティ管理手順の影響、および／またはフレキシブル帯域幅ＵＥへのフレキシブル帯域幅キャリアまたはセルに関する情報のネットワーク信号伝達を含む、異なる課題を解決するものである。
【００２９】
フレキシブル帯域幅キャリアシステムは、フレキシブル波形を利用して通常波形に適合するほど十分には大きくない可能性のあるスペクトルの部分を利用することができるワイヤレス通信システムを伴い得る。フレキシブル帯域幅キャリアシステムは、フレーム長のディレーションを生じさせること、またはたとえば、通常帯域幅キャリアシステムに関してフレキシブル帯域幅キャリアシステムのチップレートをスケールダウンすることを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムのチップレートを伸長するか、またはスケールアップすることを通じてフレキシブル波形の帯域幅を増やす。いくつかの実施形態は、フレーム長を減らすか、またはフレキシブル帯域幅キャリアシステムの帯域幅をスケールアップすることを通じてフレキシブル波形の帯域幅を増やす。
【００３０】
本明細書で説明する技術を、ＣＤＭＡ、ＴＤＭＡ、ＦＤＭＡ、ＯＦＤＭＡ、ＳＣ−ＦＤＭＡ、ピアツーピア、および他のシステムなどの様々なワイヤレス通信システムに使用することができる。用語「システム」、「網」、および「ネットワーク」は、しばしば交換可能に使用される。ＣＤＭＡシステムは、ＣＤＭＡ２０００、ユニバーサル地上無線アクセス（ＵＴＲＡ）などの無線技術を実装することができる。ＣＤＭＡ２０００は、ＩＳ−２０００標準規格と、ＩＳ−９５標準規格と、ＩＳ−８５６標準規格とを包含する。ＩＳ−２０００  Ｒｅｌｅａｓｅｓ  ０およびＡは、一般に、ＣＤＭＡ２０００  １Ｘ、１Ｘなどと称される。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと称される。ＵＴＲＡには、Ｗｉｄｅｂａｎｄ  ＣＤＭＡ（ＷＣＤＭＡ（登録商標））およびＣＤＭＡの他の変更形態がある。時分割多元接続システムは、グローバルシステムフォーモバイルコミュニケーションズ（ＧＳＭ）（登録商標）などの無線テクノロジを実装するものとしてよい。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ、などの無線テクノロジを実装するものとしてよい。ＵＴＲＡおよびＥ−ＵＴＲＡは、ユニバーサルモバイル通信システム（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新規リリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。本明細書で説明されている技術は、上述のシステムおよび無線技術、さらには他のシステムおよび無線アクセス技術に使用され得る。
【００３１】
そこで、次の説明は、例を取りあげ、請求項に記載の範囲、適用性、または構成を制限するものではない。本開示の精神および範囲から逸脱することなく、様々な変更を説明されている要素の機能および配置構成に加えることができる。様々な実施形態において、適宜様々な手順またはコンポーネントを省略し、置換し、または追加することができる。たとえば、説明されている方法は、説明されているのと異なる順序で実行することもでき、様々なステップが追加され、省略され、または組み合わされ得る。また、いくつかの実施形態に関して説明されている特徴は、他の実施形態において組み合わせることもできる。
【００３２】
まず最初に図１を参照すると、ブロック図は様々な実施形態によるワイヤレス通信システム１００の一例を示している。システム１００は、基地局１０５と、ユーザ機器１１５と、基地局制御装置１２０と、コアネットワーク１３０とを備えることができる（制御装置１２０は、いくつかの実施形態ではコアネットワーク１３０内に一体化することができ、いくつかの実施形態では、制御装置１２０は、基地局１０５内に一体化することができる）。システム１００は、複数のキャリア（異なる周波数の波形信号）上でのオペレーションをサポートすることができる。マルチキャリア送信機は、複数のキャリア上で変調信号を同時に送信することができる。各々の変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、単一キャリアＦＤＭＡ（ＳＣ−ＦＤＭＡ）信号などであってよい。各々の変調信号は、異なるキャリア上で送信され、制御情報（たとえば、パイロット信号）、オーバーヘッド情報、データなどを搬送することができる。システム１００は、ネットワークリソースを効率よく割り振ることができるマルチキャリアＬＴＥネットワークとすることができる。
【００３３】
ユーザ機器１１５は、任意の種類の移動局、モバイルデバイス、アクセス端末、加入者ユニット、またはユーザ機器とすることができる。ユーザ機器１１５は、セル方式携帯電話とワイヤレス通信デバイスとを含み得るが、携帯情報端末（ＰＤＡ）、スマートフォン、他のハンドヘルドデバイス、ネットブック、ノートブックコンピュータなども含み得る。そのため、ユーザ機器という用語は、任意の種類のワイヤレスまたはモバイル通信デバイスを含むように、請求項を含めてこれ以降、広い意味で解釈されるべきである。
【００３４】
基地局１０５は、基地局アンテナを介してユーザ機器１１５とワイヤレス方式で通信することができる。基地局１０５は、複数のキャリアを介して制御装置１２０の制御の下でユーザ機器１１５と通信するように構成され得る。ＧＳＭでは、たとえば、制御装置１２０は、基地局制御装置（ＢＳＣ）と称され、ＵＭＴＳでは、制御装置は、無線ネットワーク制御装置（ＲＮＣ）と称され得る。基地局１０５サイトの各々は、それぞれの地理的地域に対して通信範囲を提供することができる。いくつかの実施形態では、基地局１０５は、ＮｏｄｅＢ、ｅＮｏｄｅＢ、Ｈｏｍｅ  ＮｏｄｅＢ、および／またはＨｏｍｅ  ｅＮｏｄｅＢと称され得る。各々の基地局１０５に対するサービスエリアは、ここでは、１１０−ａ、１１０−ｂ、または１１０−ｃと識別される。基地局に対するサービスエリアは、セクタに分割され得る（図示されていないが、サービスエリアの一部のみを構成する）。システム１００は、異なる種類の基地局１０５（たとえば、マクロ、マイクロ、フェムト、および／またはピコ基地局）を備えることができる。
【００３５】
ユーザ機器１１５、基地局１０５、コアネットワーク１３０、および／または制御装置１２０などの、システム１００の異なる態様は、様々な実施形態に従ってフレキシブル帯域幅キャリアとフレキシブル波形とを利用するように構成され得る。システム１００は、たとえば、ユーザ機器１１５と基地局１０５との間に送信１２５があることを示している。送信１２５は、ユーザ機器１１５から基地局１０５へのアップリンクおよび／またはリバースリンク送信、および／または基地局１０５からユーザ機器１１５へのダウンリンクおよび／またはフォワードリンク送信を含み得る。送信１２５は、フレキシブルおよび／または通常波形を含むことができる。通常波形は、レガシーおよび／または通常波形とも称され得る。
【００３６】
ユーザ機器１１５、基地局１０５、コアネットワーク１３０、および／または制御装置１２０などの、システム１００の異なる態様は、様々な実施形態に従ってフレキシブル帯域幅とフレキシブル波形とを利用するように構成され得る。たとえば、システム１００の異なる態様は、通常波形に適合するほど十分には大きくない可能性のあるスペクトルの部分を利用することができる。ユーザ機器１１５、基地局１０５、コアネットワーク１３０、および／または制御装置１２０などの、デバイスは、チップレートおよび／またはスケーリング係数を、フレキシブル帯域幅および／または波形を生成し、および／または利用するように適応させる構成をとることができる。システム１００のいくつかの態様は、通常帯域幅キャリアシステムに関するフレキシブル帯域幅キャリアシステムの時間またはチップレートのディレーションを生じさせるか、またはスケールダウンすることを通じて、通常サブシステム（他のユーザ機器１１５および／または基地局１０５を使用して実装され得る）に関して生成され得るフレキシブルサブシステム（特定のユーザ機器１１５および／または基地局１０５など）を形成することができる。いくつかの実施形態では、フレキシブルサブシステムは、フレーム長のディレーションを生じさせるか、または通常サブシステムに関してフレキシブルサブシステムの帯域幅をスケールダウンすることを通じて通常サブシステムに関して生成され得る。いくつかの実施形態は、フレキシブルサブシステムの時間もしくはチップレートを伸長するか、またはスケールアップすることを通じてフレキシブル波形の帯域幅を増やす。いくつかの実施形態は、フレーム長を減らすか、またはフレキシブルサブシステムの帯域幅をスケールアップすることを通じてフレキシブル波形の帯域幅を増やす。
【００３７】
いくつかの実施形態において、ユーザ機器１１５などのシステム１００の異なる態様は、ＵＥ１１５においてスケーリング係数またはフレキシブルスケーリング係数またはフレキシブル帯域幅とも称され得る、１つまたは複数の帯域幅スケーリング係数Ｎおよび／または帯域幅などの、帯域幅情報を決定するように構成され得る。異なるアプローチが、帯域幅情報を決定する際に利用され得るが、このアプローチは、限定はしないが、ランダム順序付けＮアプローチ、遅延順序付けＮアプローチ、ＵＥネイバーレコードにＮ値を格納するアプローチ、スペクトル測定アプローチ、スペクトル計算アプローチ、および／または先験的アプローチを含む。帯域幅スケーリング係数および／または帯域幅に関する情報は、複数の領域を含む、他の領域に格納され得る。他のアプローチとして、帯域幅スケーリング係数および／または帯域幅への周波数のマッピング（たとえば、探索メカニズムにおける）が挙げられる。これらのアプローチは並列実行されるか、または場合によっては逐次実行され得る。これらの異なるアプローチを組み合わせることもできる。いくつかの場合において、フレキシブル帯域幅に対する帯域幅スケーリング係数よりはむしろ、フレキシブル帯域幅それ自体などの情報が格納され得る。いくつかの実施形態は、ＵＥ１１５において受信データの第１のセットを解釈することを含む。フレキシブル帯域幅キャリアに関連付けられている帯域幅情報は、受信データの第１のセットを利用するＵＥ１１５において決定され得る。フレキシブル帯域幅キャリアは、たとえば、基地局１０５のうちの１つによって利用されるものとしてよい。帯域幅情報は、データの第２のセットが帯域幅情報を含むという点でデータの第１のセットと異なる、データの第２のセットを含み得る。ＵＥ１１５において、帯域幅情報を決定することは、決定された帯域幅情報を利用することもできるフレキシブル帯域幅キャリアに関してモビリティ管理を円滑にし得る。帯域幅情報は、フレキシブル帯域幅キャリアに関連付けられている少なくとも１つの帯域幅スケーリング係数または帯域幅を含むものとしてよい。
【００３８】
いくつかの実施形態は、フレキシブル波形および／または通常波形を生成することができるユーザ機器１１５および／または基地局１０５を含み得る。フレキシブル波形は、通常波形に比べて小さい帯域幅を占有し得る。たとえば、帯域端では、通常波形を配置するために十分な利用可能スペクトルがない場合がある。フレキシブル波形については、いくつかの実施形態において、時間（たとえば、フレーム長）のディレーションが生じるにつれ、波形が占有する周波数は下がり、それにより、フレキシブル波形を通常波形に適合するほど十分に広くない可能性のあるスペクトルに適合させることが可能になる。フレキシブル波形は、いくつかの実施形態では、スケーリング係数を使用することを通じて生成することもできる。いくつかの実施形態において、フレキシブル帯域幅キャリアは、フレキシブル波形を伝えるために利用され得る。他の実施形態は、転送速度またはチップレートを変えることを通じてスペクトルの一部に適合するようにフレキシブル波形を生成することができる（たとえば、拡散率は変化し得る）。いくつかの実施形態は、処理の頻度を変えてチップレートを変化させるか、またはスケーリング係数を利用することができる。処理の頻度を変えることは、補間レート、割り込みレート、および／または間引きレートを変えることを含み得る。いくつかの実施形態において、フィルタリングを通じて、間引きによって、および／またはＡＤＣ、ＤＡＣ、および／またはオフラインクロックの周波数を変更することによって、チップレートが変えられるか、またはスケーリング係数が利用され得る。少なくとも１つのクロックの周波数を変えるために、分周器が使用され得る。いくつかの実施形態において、チップレート分周器（Ｄｃｒ）が利用され得る。いくつかの実施形態において、フレキシブル帯域幅キャリアに対するスケーリング係数は、帯域幅スケーリング係数と称され得る。
【００３９】
いくつかの実施形態において、フレキシブルシステムまたは波形は、フラクショナルシステムまたは波形（fractional system or waveform）であってよい。フラクショナルシステムおよび／または波形は、たとえば、帯域幅を変化させてもさせなくてもよい。フラクショナルシステムまたは波形は、それが通常システムまたは波形（たとえば、Ｎ＝１システム）に比べてより多くの可能性をもたらし得るのでフレキシブルであるものとしてよい。通常システムまたは波形は、標準および／またはレガシーシステムまたは波形を指すものとしてよい。
【００４０】
図２Ａは、様々な実施形態による基地局１０５−ａとユーザ機器１１５−ａとを伴うワイヤレス通信システム２００−ａの例を示しており、フレキシブル波形２１０−ａは、通常波形２２０−ａに適合するほど十分に広くないスペクトルの一部に適合する。システム２００−ａは、図１のシステム１００の一例としてよい。いくつかの実施形態において、フレキシブル波形２１０−ａは、基地局１０５−ａおよび／またはユーザ機器１１５−ａのいずれかが送信することができる通常波形２２０−ａと重なってもよい。いくつかの実施形態は、複数のフレキシブル波形２１０を利用することもできる。いくつかの実施形態において、別の基地局および／またはユーザ機器（図示せず）は、通常波形２２０−ａおよび／またはフレキシブル波形２１０−ａを送信することができる。図２Ｂは、基地局１０５−ｂとユーザ機器１１５−ｂとを伴うワイヤレス通信システム２００−ｂの例を示しており、そこでは、フレキシブル波形２１０−ｂは、保護周波数帯であってもよい、帯域端の近くのスペクトルの一部に適合し、通常波形２２０−ｂは適合し得ない。システム２００−ｂは、図１のシステム１００の一例としてよい。
【００４１】
いくつかの実施形態において、ユーザ機器１１５−ａおよび／または１１５−ｂは、帯域幅スケーリング係数Ｎおよび／またはフレキシブル帯域幅などの、フレキシブル帯域幅キャリアに関連付けられている帯域幅情報を決定するように構成される。異なるアプローチが、Ｎを決定する際に利用され得るが、このアプローチは、限定はしないが、ランダム順序付けＮアプローチ、遅延順序付けＮアプローチ、ＵＥネイバーレコードにＮ値を格納するアプローチ、スペクトル測定アプローチ、スペクトル計算アプローチ、および／または先験的アプローチを含む。いくつかの実施形態は、ユーザ機器１１５−ａおよび／または１１５−ｂにおいて受信データの第１のセットを解釈することを含む。フレキシブル帯域幅キャリアに関連付けられている帯域幅情報は、受信データの第１のセットを利用するＵＥにおいて決定され得る。帯域幅情報は、データの第２のセットが帯域幅情報を含むという点でデータの第１のセットと異なる、データの第２のセットを含み得る。ユーザ機器１１５−ａおよび／または１１５−ｂにおいて帯域幅情報を決定することは、決定された帯域幅情報を利用することもできるフレキシブル帯域幅キャリアに関してモビリティ管理を円滑にし得る。帯域幅情報は、フレキシブル帯域幅キャリアに関連付けられている少なくとも１つの帯域幅スケーリング係数または帯域幅を含むものとしてよい。
【００４２】
図３は、様々な実施形態による基地局１０５−ｃとユーザ機器１１５−ｃおよび１１５ｄとを伴うワイヤレス通信システム３００の例を示している。いくつかの実施形態は、ユーザ機器１１５−ｃおよび／または１１５−ｄにおいて受信データの第１のセットを解釈することを含む。ユーザ機器１１５−ｃおよび／または１１５−ｄと基地局１０５−ｃとの間の送信３０５−ａおよび／または３０５−ｂは、データをユーザ機器１１５−ｃおよび／または１１５−ｄに供給するために利用され得る。フレキシブル帯域幅キャリアに関連付けられている帯域幅情報は、受信データの第１のセットを利用するユーザ機器１１５−ｃおよび／または１１５−ｄにおいて決定され得る。帯域幅情報は、データの第２のセットが帯域幅情報を含むという点でデータの第１のセットと異なる、データの第２のセットを含み得る。ＵＥにおいて、帯域幅情報を決定することは、決定された帯域幅情報を利用することもできるフレキシブル帯域幅キャリアに関してモビリティ管理を円滑にし得る。帯域幅情報は、フレキシブル帯域幅キャリアに関連付けられている少なくとも１つの帯域幅スケーリング係数または帯域幅を含むものとしてよい。
【００４３】
ユーザ機器１１５−ｃおよび／または１１５−ｄと基地局１０５−ｃとの間の送信３０５−ａおよび／または３０５−ｂでは、通常波形に比べて小さい（または大きい）帯域幅を占有するように生成され得るフレキシブル波形を利用することができる。たとえば、帯域端では、通常波形を配置するために十分な利用可能スペクトルがない場合がある。フレキシブル波形については、時間のディレーションが生じるにつれ、波形が占有する周波数は下がり、それにより、フレキシブル波形を通常波形に適合するほど十分に広くない可能性のあるスペクトルに適合させることが可能になる。いくつかの実施形態において、フレキシブル波形は、通常波形に関してスケーリング係数Ｎを利用してスケーリングされ得る。スケーリング係数Ｎは、帯域幅スケーリング係数と称され得る。スケーリング係数Ｎは、フレキシブル帯域幅キャリアに対する帯域幅をスケーリングするために利用され得る。スケーリング係数Ｎは、限定はしないが１、２、３、４、８などの整数値を含む、数多くの異なる値を取り得る。しかし、Ｎは、整数でなければならないわけではない。いくつかの場合において、帯域幅スケーリング係数と同じ数値を有していてもよい、チップレート分周器（Ｄｃｒ）が利用され得る。ただ単に例として、Ｎ＝２のフレキシブル帯域幅キャリアシステムは、通常通常帯域幅システムまたはＮ＝１のフレキシブル帯域幅システムの帯域幅の半分を占有するものとしてよい。
【００４４】
いくつかの実施形態は、ユーザ機器１１５−ｃおよび／または１１５−ｄにおいて、フレキシブル帯域幅キャリアに関連付けられている決定された帯域幅情報を利用してフレキシブル帯域幅キャリアに関してモビリティ管理を円滑にすることを含む。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、同じ帯域幅スケーリング係数および／または同じフレキシブル帯域幅などの、同じ情報を利用する。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、異なる帯域幅スケーリング係数および／または異なるフレキシブル帯域幅などの、異なる情報を利用する。モビリティ管理を円滑にすることは、より多くのフレキシブル帯域幅キャリアのうちの１つと通常帯域幅キャリアとの間のモビリティを円滑にすることを含み得る。
【００４５】
ユーザ機器１１５−ｃおよび／または１１５−ｄにおいて、フレキシブル帯域幅キャリアに関連付けられている帯域幅情報を決定することは、ランダムな帯域幅スケーリング係数列を利用してフレキシブル帯域幅キャリアに関連付けられている帯域幅情報を決定することを含み得る。フレキシブル帯域幅キャリアに関連付けられている帯域幅情報を決定することは、事前に決定された帯域幅スケーリング係数列を利用してフレキシブル帯域幅キャリアに関連付けられている帯域幅情報を決定することを含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。事前に決定された帯域幅スケーリング係数列を利用すると、事前に決定された係数列からの帯域幅スケーリング係数に基づき１つまたは複数のセル探索とブラインドデコードとを利用することができる。
【００４６】
ユーザ機器１１５−ｃおよび／または１１５−ｄにおいて、フレキシブル帯域幅キャリアに関連付けられている帯域幅情報を決定することは、格納されている帯域幅スケーリング係数を利用することを含み得る。フレキシブル帯域幅キャリアに関連付けられている帯域幅情報を決定することは、１つまたは複数のスペクトル測定結果を利用することを含み得る。フレキシブル帯域幅キャリアに関連付けられている帯域幅情報を決定することは、１つまたは複数のスペクトル計算結果を利用することを含み得る。
【００４７】
ユーザ機器１１５−ｃおよび／または１１５−ｄにおいて、フレキシブル帯域幅キャリアに関連付けられている帯域幅情報を決定することは、フレキシブル帯域幅キャリアの１つまたは複数の帯域幅スケーリング係数に関する先験的情報を利用することを含み得る。フレキシブル帯域幅キャリアに関連付けられている帯域幅情報を決定することは、所与のエリア内に１つまたは複数の帯域幅スケーリング係数を持つ１つまたは複数の帯域幅キャリアを展開する確率に関する先験的情報を利用することを含み得る。フレキシブル帯域幅キャリアに関連付けられている帯域幅情報を決定することは、遅延順序付けスケーリング係数アプローチと組み合わせて所与のエリア内に１つまたは複数の帯域幅スケーリング係数を持つ１つまたは複数の帯域幅キャリアを展開する確率に関する先験的情報を利用することを含み得る。
【００４８】
いくつかの実施形態は、追加の用語を利用し得る。新しい単位Ｄが利用され得る。単位Ｄは、「ディレーション」であり得る。この単位は無名数であり、値Ｎを有する。「ディレーション時間（dilated time）」に関してフレキシブルシステム内の時間を記述することができる。たとえば、通常時間においてたとえば１０ｍｓのスロットは、フレキシブル時間では１０Ｄｍｓと表すことができる（注意：通常時間であっても、これは、通常時間でＮ＝１なので真であり、Ｄは値１を有し、したがって１０Ｄｍｓ＝１０ｍｓである）。時間のスケーリングにおいて、大半の「秒」を「ディレーション秒（dilated-seconds）」で置き換えることができる。
【００４９】
上で説明されているように、フレキシブル波形は、通常波形に比べて小さい、または大きい帯域幅を占有する波形とすることができる。したがって、フレキシブル帯域幅キャリアシステムでは、同じ数のシンボルおよびビットが、通常帯域幅システムに比べてより長い存続時間にわたって送信され得る。この結果、時間が引き伸ばされ、したがって、スロット存続時間、フレーム存続時間などが、スケーリング係数Ｎで増大され得る。スケーリング係数Ｎは、フレキシブル帯域幅（ＢＷ）と通常帯域幅との比を表すものとしてよい。そこで、フレキシブル帯域幅システムにおけるデータ転送速度は、通常転送速度×１／Ｎに等しく、遅延は通常遅延×Ｎに等しいものとしてよい。一般に、フレキシブルシステムのチャネルＢＷ＝通常システムのチャネルＢＷ／Ｎである。遅延と帯域幅の積、遅延×ＢＷは変化せずそのままである。さらに、いくつかの実施形態では、フレキシブル波形は、通常波形に比べて大きい帯域幅を占有する波形とすることができる。
【００５０】
本明細書全体を通し、通常システム、サブシステム、および／または波形という用語は、１に等しいものとしてよい帯域幅スケーリング係数（たとえば、Ｎ＝１）または通常もしくは標準チップレートを利用することができる実施形態を伴うシステム、サブシステム、および／または波形を指すために利用され得る。これらの通常システム、サブシステム、および／または波形は、標準および／またはレガシーシステム、サブシステム、および／または波形とも称され得る。さらに、フレキシブルシステム、サブシステム、および／または波形は、１に等しくなくてもよい帯域幅スケーリング係数（たとえば、Ｎ＝２、３、４、８、１／２、１／４など）を利用し得る実施形態を伴うシステム、サブシステム、および／または波形を指すために利用され得る。Ｎ＞１に対して、またはチップレートが下げられる場合に、波形の帯域幅は減少し得る。いくつかの実施形態では、帯域幅を増大する帯域幅スケーリング係数またはチップレートを利用することができる。たとえば、Ｎ＜１の場合、またはビットレートが上げられた場合、波形は、通常波形に比べて大きい帯域幅をカバーするように伸長され得る。フレキシブルシステム、サブシステム、および／または波形は、いくつかの場合において、フラクショナルシステム、サブシステム、および／または波形とも称され得る。フラクショナルシステム、サブシステム、および／または波形は、たとえば、帯域幅を変化させてもさせなくてもよい。フラクショナルシステム、サブシステム、または波形は、それが通常もしくは標準システム、サブシステム、または波形（たとえば、Ｎ＝１システム）に比べてより多くの可能性をもたらし得るのでフレキシブルであるものとしてよい。
【００５１】
次に図４を参照すると、ブロック図が様々な実施形態によるモビリティ管理手順を例示している。ブロック図の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０および／または制御装置１２０、図１、図２、図３、図１０、図１２、および／または図１３に示されているようなユーザ機器１１５、および／または図１１に示されているようなデバイス１１００を含む。ブロック４０５で、ネットワークは、ＵＥに支援情報を信号伝達して、モビリティ管理においてＵＥを支援することができる。ネットワークは、たとえば、隣接する利用可能セルに関する支援情報をＵＥに信号伝達することができる。ブロック４１０で、１つまたは複数の帯域幅スケーリング係数Ｎまたはフレキシブル帯域幅などの帯域幅情報は、ＵＥで決定され得る。これは、探索手順の一部であってよい。たとえば、ＵＥは、自律的に、および／またはネットワークの助けを借りてセルまたはキャリアを探索することができる。セルは、フレキシブル帯域幅セルであってよく、キャリアは、フレキシブル帯域幅キャリアであってよい。いくつかの場合において、異なるフレキシブル帯域幅セルまたはキャリアに関連付けられている帯域幅スケーリング係数および／またはフレキシブル帯域幅は、たとえば、基地局を通じて、ネットワークからＵＥに信号伝達され得る。値Ｎまたは帯域幅がＵＥに信号伝達されない場合、ＵＥは、本明細書で説明されているような様々な手順を使用して１つまたは複数のセルに関連付けられている１つまたは複数の帯域幅スケーリング係数および／またはフレキシブル帯域幅を決定することができる。たとえば、多数のＮ個の仮説を試みることも可能である。ブロック４１５で、セット管理手順が実行され得る。たとえば、ＵＥでは、ブロック４２０に示されているようにさらなるハンドオーバーおよび再選択に使用される様々なセルセットを作成することができる。
【００５２】
実施形態は、様々なモビリティ管理シナリオを含み得る。フレキシブル帯域幅ＵＥは、たとえば、モビリティ手順を使用して、異なるモビリティシナリオに従って移行することができる。フレキシブル帯域幅ＵＥは、Ｎ＝ｘの帯域幅スケーリング係数を持つフレキシブル帯域幅キャリアまたはセルから、同じＮを持つ別のフレキシブル帯域幅キャリアまたはセルに移動することができる。これらのセルは、たとえば、同じキャリア周波数上に展開されるが、異なるＰＳＣによって分離され得る。いくつかの実施形態において、２つのセルは異なるキャリア周波数上に展開することも可能である。フレキシブル帯域幅ＵＥは、Ｎ＝ｘを持つフレキシブル帯域幅キャリアまたはセルから、異なるＮ、Ｎ＝ｙを持つ別のフレキシブル帯域幅キャリアまたはセルに移動することができる。セルは両方とも、異なるキャリア周波数上に展開されてもよい。フレキシブル帯域幅ＵＥは、Ｎ＝ｘを持つフレキシブル帯域幅キャリアまたはセルから、たとえば、ＵＭＴＳおよび／またはＧＳＭセルなどの非フレキシブルまたはレガシーセルに移動することができる。同様に、ＵＥは、ＵＭＴＳおよび／またはＧＳＭなどの非フレキシブル帯域幅キャリアまたはセルからフレキシブル帯域幅キャリアまたはセルに移動することができる。セルは両方とも、異なるキャリア周波数上に展開されてもよい。いくつかの場合において、ＵＭＴＳおよび／またはＧＳＭセルなどの非フレキシブル帯域幅キャリアもしくはセル、またはレガシーセル、およびフレキシブル帯域幅セルもしくはセルは、同一サイトに配置されるか、または異なるサイトに展開され得る。いくつかの実施形態において、ＵＥがフレキシブル帯域幅キャリアまたはセルに移動した後、これはたとえばＵＭＴＳネットワークなどの非フレキシブルネットワーク、またはレガシーネットワークで現在実行されているものとしてモビリティ手順を実行する（たとえば、登録メッセージ、位置エリア更新、ルーティングエリア更新などを送信する）ことができる。上記の例のいくつかは、ＵＭＴＳおよび／またはＧＳＭセルを含んでいるが、他の実施形態では、他の無線アクセス技術（ＲＡＴ）を利用することができる。フレキシブル帯域幅システムは、レガシーＲＡＴの拡張（またはモード）として取り扱われ得るか、またはいくつかの場合いおいて個別のＲＡＴとして取り扱われ得る。
【００５３】
図５は、いくつかの異なるモビリティ管理シナリオを含む表５００を示しているが、いくつかの実施形態では他のシナリオを利用することもできる。ハンドオーバー／再選択シナリオ５１０は、一方のキャリアから別のキャリアへの可能なＵＥの移動のいくつかの異なる事例を示しており、キャリアは、フレキシブル帯域幅キャリアおよび／または通常（またはレガシー）帯域幅キャリアであってよい。各々の事例に対する展開シナリオ５２０は、展開シナリオが周波数内、周波数間、および／またはＲＡＴ間であるかどうかを反映する。表５００の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０および／または制御装置１２０、図１、図２、図３、図１０、図１２、および／または図１３に示されているようなユーザ機器１１５、および／または図１１に示されているようなデバイス１１００を含む。
【００５４】
いくつかの実施形態は、ＵＥにおいて、帯域幅スケーリング係数Ｎおよび／またはフレキシブル帯域幅などの、１つまたは複数の帯域幅情報を決定するためのアプローチを含み得る。いくつかの場合において、Ｎなどのフレキシブル帯域幅情報は、信号伝達され得ない。その結果、ＵＥは、フレキシブル帯域幅セルであってもよいが、いくつかの場合において通常帯域幅（すなわち、Ｎ＝１）セルであってもよい、セルに関する情報を取得し、復号する際にどのＮ仮説を使用するかを決定しなければならない場合がある。異なるアプローチが、Ｎを決定する際に利用され得るが、このアプローチは、限定はしないが、ランダム順序付けＮアプローチ、遅延順序付けＮアプローチ、ＵＥネイバーレコードにＮ値を格納するアプローチ、スペクトル測定アプローチ、および／またはスペクトル計算アプローチを含む。
【００５５】
いくつかの実施形態では、Ｎを決定するためにランダム順序Ｎアプローチを利用する。最初の取得では、フレキシブル帯域幅スケーリング係数情報に関するＵＥに利用可能な情報がないときに、初期セル取得時に常に使用され得るＮでＵＥを構成することが可能な場合がある。ＵＥは、Ｎ値を実行中にランダムに選択することによって電源投入時に使用するＮの値を決定することもできる。いくつかの場合において、異なる仮説を、検出に成功するまで試してみることができる。いくつかの実施形態では、スケーリング係数の静的または非静的リストを利用することができる。周波数間隣接セル探索の場合、特定のＮ探索順序でＵＥを事前構成することが可能であるか、またはＵＥは、Ｎを探索する順序をランダムに選択することができる。いくつかの実施形態において、ＵＥは、サービングセル（支援情報をＵＥに信号伝達したセル）上で利用されているＵＥのＮと同じＮを利用して、周波数内セル探索を行うことができる。
【００５６】
いくつかの実施形態では、Ｎを決定するために遅延順序付けＮアプローチを利用する。図６Ａは、初期取得に対する遅延順序Ｎアプローチに基づく流れ図６００−ａを示している。たとえば、初期取得に対して遅延順序付けＮアプローチが利用され得る。この例では、Ｎ＝１、２、４、および８を利用するが、他の場合には他の値を利用することもできる。全ＢＷ（Ｎ＝１）、１／２ＢＷ（Ｎ＝２）、１／４ＢＷ（Ｎ＝４）などのキャリアの数に関する先験的情報が利用可能でない場合、いくつかの実施形態では、これらが等しい確率を持つものと仮定する（すなわち、重みは同じである）。そのような場合、徐々に高くなる値のＮを試みることで、レガシーシステムに関する取得遅延を最小にすることができる。たとえば、ブロック６０５に示されているように、フレキシブル帯域幅ＵＥはＮ＝１仮説を試みることができる。ブロック６１０で失敗した場合、ブロック６１５でＮ＝２仮説を試みることができる。ブロック６２０でも失敗した場合、ブロック６２５でＮ＝４仮説を試み、ブロック６３０および６３５に示されているように、システムがブロック６４０で得られるまでそれを繰り返すものとしてよい。周波数間探索について遅延順序付けＮアプローチが利用され得る。他の実施形態では、１、２、４、または８のほかに、他の値のＮを利用することができる。さらに、いくつかの実施形態では、並列復号または逐次復号を利用することができる。図６Ｂは、周波数間探索に対する遅延順序Ｎアプローチに基づく流れ図６００−ｂを示している。たとえば、全ＢＷ（Ｎ＝１）、１／２ＢＷ（Ｎ＝２）、１／４ＢＷ（Ｎ＝４）などのキャリアの数に関する先験的情報が利用可能でない場合、いくつかの実施形態では、等しい確率を持つものと仮定する（すなわち、重みは同じである）。そのような場合、フレキシブル帯域幅ＵＥは、ブロック６５０で、現在の周波数に対するＮの値を試みることができる。ブロック６５５で成功した場合、システム取得は、ブロック６６０で実行され得る。ブロック６５５で失敗した場合、フレキシブル帯域幅ＵＥは、ブロック６５５において現在のＮ値でない場合にＮ＝１を試みることができる。ブロック６６５で失敗した場合、フレキシブル帯域幅ＵＥは、ブロック６７０または６７５においてＮのより高い値を次々に試みることができる。他の実施形態では、１、２、４、または８のほかに、他の値のＮを利用することができる。さらに、いくつかの実施形態では、並列復号または逐次復号を利用することができる。流れ図６００−ａおよび／または６００−ｂは、様々なワイヤレス通信デバイスを利用して実装されるものとしてよく、これらは、限定はしないが、図１、図２、図３、図１０、図１１、および／または図１２に示されているようなユーザ機器１１５、および／または図９に示されているようなデバイス９００を含む。
【００５７】
いくつかの実施形態では、Ｎを決定するためにＵＥネイバーレコードにＮ値を格納するアプローチを利用する。帯域幅スケーリング係数に関する情報は、複数の領域を含む、他の領域に格納され得る。他のアプローチとして、帯域幅スケーリング係数への周波数のマッピング（たとえば、探索メカニズムにおける）が挙げられる。いくつかの場合において、フレキシブル帯域幅に対する帯域幅スケーリング係数よりはむしろ、フレキシブル帯域幅それ自体などの情報が格納され得る。たとえば、ＵＥは、ネットワークおよび検出されたセルからの信号伝達されたセルの記録をとることができる。これらの記録の例として、たとえば、ＵＥが維持するネイバーリストおよび／または最近最も使われたテーブル（ＭＲＵ）が挙げられる。ネイバーリストは、たとえば、ネットワークから信号伝達され、識別されている（または未識別の）セル、さらにはＵＥによって信号伝達されていないが検出されているセルのリストを含み得る。識別され、検出されたセルについて、その対応するキャリア周波数およびＰＳＣは、その記録内に維持され得る。最近最も使われた（ＭＲＵ）テーブルを使用することで、ＵＥはサービスを提供した最近最も使用されたシステム（モード、帯域、および／またはチャネル）を覚えておくことができる。テーブルは、最近最も使われたシステムから最近最も使われていないシステムへ順序付けられ得る。いくつかの実施形態において、そこで、フレキシブル帯域幅ＵＥは、ＵＥがすでにキャンプしているか、または識別している周波数／キャリアのＮ値を格納する。いくつかの場合において、任意の周波数上にＮ値が１つだけあり得る。そこで、セル探索およびブラインドデコードのヒットは、そのセル／キャリアを取得することをＵＥがはじめて試みたときのものであってよい。その後の時間に、ＵＥは記録からＮ値を取り出すことができ、そのＮ値で取得を試みる。このアプローチは単独で、または他のＮ決定アプローチと組み合わせて使用することができる。いくつかの場合において、オペレータは、ネットワークの個となる部分（たとえば、田舎、郊外、都市部）で同じ周波数であっても異なるＮを使用することができる。ＵＥは、位置を、ＵＥが検出した異なるＮにマップすることができる。また、ＵＥは、異なる位置で異なる方法を使用することもできる。異なるデータベースまたは方法を利用するために他の情報（たとえば、ＰＬＭＮ）が使用され得る。
【００５８】
いくつかの実施形態は、ＵＥによる帯域幅（ＢＷ）測定結果（複数可）からのＮ推定または決定に対する方法を利用する。たとえば、ＵＥは、良好なスペクトラムアナライザであってよく、周波数スキャンを実行しながら帯域幅を測定することができるものとしてよい。有効伝送帯域幅を推定するために、ＵＥは、可能な最大の伝送帯域幅（たとえば、Ｎ＝１に対する伝送帯域幅）に対応するエネルギーを測定することができる。周波数スキャンの後、ＵＥは、波形の帯域幅を判定することができる（たとえば、絶対帯域幅、または３−ｄＢ帯域幅、または等価帯域幅）。帯域幅が知られていれば、ＵＥは、Ｎの値または帯域幅を推論することができる。可能な最小の帯域幅から開始するアルゴリズムを使用することによってスペクトル帯域幅を決定するとより効率的である場合がある。これは、多数のキャリア周波数が探索され得るフルスキャン（電源投入またはサービス復帰時）と少数のキャリア周波数が使用され得るリストスキャンの両方に対して動作することが予想され得る。このスペクトル測定法は単独で、または他の帯域幅情報決定アプローチと組み合わせて使用することができる。
【００５９】
いくつかの実施形態は、帯域幅スケーリング係数Ｎおよび／またはフレキシブル帯域幅などの、帯域幅情報を決定するためにスペクトル計算結果（複数可）を利用する。スペクトル推定を伴う別のアプローチも、ＵＥが隣接周波数間セルに関する情報（たとえば、キャリア周波数および帯域幅）を有するときに可能であるものとしてよい。たとえば、２つの隣接するセルの間のキャリア分離を使用することによって、ＵＥは、ターゲットセルの最もありそうな帯域幅を計算することができるものとしてよい。たとえば、ターゲットセルと隣接セルとの間のキャリア分離が５ＭＨｚである場合、ターゲットセルは、Ｎ＝１のフレキシブル帯域幅セルであることがあり得、分離が３．７５ＭＨｚである場合、ターゲットセルは、Ｎ＝２のフレキシブル帯域幅セルであることがあり得る。図７は、これら２つの例を反映するスペクトル図７００を示している。たとえば、２つの隣接するセル７１０と７２０との間のキャリア分離７３０を使用することによって、ＵＥは、ターゲットセルの最もありそうな帯域幅を計算することができるものとしてよい。たとえば、ターゲットセル７２０−ａと隣接セル７１０−ａとの間のキャリア分離７３０−ａが５ＭＨｚなどの特定の値である場合、ターゲットセルは、Ｎ＝１のフレキシブル帯域幅セルであることがあり得る。ターゲットセル７２０−ｂとネイバーセル７１０−ｂとの間のキャリア分離７３０−ｂが３．７５ＭＨｚなどの別の値である場合、ターゲットセル７２０−ｂは、Ｎ＝２のフレキシブル帯域幅セルであることがあり得る。この方法は、隣接キャリア情報が不明である場合に誤りの影響を受けやすいことがある。たとえば、ＧＳＭセルまたは他のフレキシブル帯域幅セルは、ターゲットセルに隣接して配置され得るが、情報は、ＵＥには利用可能でない場合がある。キャリア分離は、チャネル番号からのものであってよい。スペクトル図７００は、様々なワイヤレス通信デバイスによって利用されるものとしてよく、これらのデバイスは、限定はしないが、図１、図２、図３、図１０、図１１、および／または図１２に示されているようなユーザ機器１１５、および／または図９に示されているようなデバイス９００を含む。スペクトル計算法は、帯域幅スケーリング係数Ｎを決定するための他の方法と組み合わせることもできる。
【００６０】
いくつかの状況において、帯域幅スケーリング係数Ｎに関してあいまい性があり得る。たとえば、３．７５ＭＨｚの分離があり得る場合、一方のキャリアはＮ＝１と考えられ、他方のキャリアはＮ＝２と考えられ得るが、どちらがどちらであるとは言えない。いくつかの状況において、キャリアの一方の帯域幅が判明している可能性がある。たとえば、一方のキャリアが全帯域幅キャリア（たとえば、Ｎ＝１）であり、チャネル間隔が３．７５ＭＨｚであり得ることが知られている場合、他方のキャリアは１／２帯域幅キャリア（たとえば、Ｎ＝２）であるなど、他方のキャリアの帯域幅または帯域幅スケーリング係数を推測することが可能であるものとしてよい。
【００６１】
いくつかの実施形態は、先験的情報による順序付けを利用してＮ決定を円滑にすることができる。先験的支援情報がない場合、すべてのＮ値（ｐi）は、同程度に確からしいものとしてよい。各々のＮ、Ｗiに対するＭ個の異なるＮおよび重みの可能性が同程度に確からしいものとしてよいと仮定すると、Ｗiは
【数１】
0005911968.tif 000002
【００６２】
と表され得る。
【００６３】
何らかの先験的情報があれば（たとえば、セルの６０％がＮ＝１である、すなわち、ｐ1＝０．６であり、３０％がＮ＝８である、すなわち、ｐ8＝０．３であり、１０％がＮ＝４である、すなわち、ｐ4＝０．１である）、重み（ｗ）を、
【数２】
0005911968.tif 000003
【００６４】
などの、尤度に基づき割り当てることが可能であるものとしてよい。
【００６５】
フレキシブル帯域幅ＵＥは、重みを減らす順でＮ値を復号することを試みるものとしてよい（たとえば、Ｗ1＞Ｗ8＞Ｗ4としてＮ＝１を試し、次いでＮ＝８を試し、次いでＮ＝４を試す）。周波数間探索では、フレキシブル帯域幅ＵＥは、上で述べたのと同じ戦略に従うものとしてよい。各々のＮに関連付けられている取得遅延などの追加の情報があれば、重みは、増やされ得る（たとえば、Ｗi＝ｐi／ｄi、ただし、Ｎ＝ｉについてｄiは取得遅延とすることができ、またｉ＞ｊ［ｄ8〜２＊ｄ4およびｄ4〜２＊ｄ2］についてｄi＞ｄj）。他のアプローチ（たとえば、スペクトル測定および／またはスペクトル計算）からの追加情報も、重みを増やすために使用され得る。
【００６６】
図８は、ＵＥがＵＭＴＳセルであるセルＡからＮ＝４のフレキシブル帯域幅キャリアまたはセルであるセルＢに移行する一例を示す通信ダイアグラム８００を示している。ＵＥがセルＢ上でアイドルモードに入っている可能性がある間、フレキシブル帯域幅キャリアまたはセル情報は、ＳＩＢ１１上でＵＥに信号伝達され得るが（たとえば、キャリア周波数、プライマリスクランブリングコード（ＰＳＣ）など）、セルＢ対するＮ値は、信号伝達され得ない。ＵＥは、スペクトル推定を使用してＮを判定することができ、セルＢに対してＮ情報を格納する。ＵＥは、スペクトル推定を使用してＮを判定することができ、セルＢに対してＮ情報を格納することができる。ＵＥは、データまたは音声接続についてセルＡとともに接続モードに遷移することができる。接続モードでは、ＵＥとネットワークとの間のリンクに信号強度の低下が生じた場合に、ネットワーク側では、圧縮ギャップをＵＥに送り、フレキシブル帯域幅キャリアまたはセルＢを測定するものとしてよい。セルＢはすでにアイドルモードで識別されている可能性があるため、Ｎおよびセルタイミングが知られており、したがって取得遅延は最小限に抑えられる。次いで、ＵＥは、セル上の信号強度を測定して、そのセル上で強い信号強度が検出される場合には当然のことながらセルを仮想アクティブセットに追加することができる。セルＢの信号強度が閾値より高い場合、周波数間イベントがトリガーされるものとしてよく、そこでＵＥは測定結果の報告をネットワークに送信する。ネットワークは、ネットワーク側でフレキシブル帯域幅キャリアまたはセルＢがセルＡよりもＵＥにふさわしいことを発見した場合に周波数間ハンドオーバーを指令することができる。ＵＥは、フレキシブル帯域幅キャリアまたはセルＢに合わせてチューニングすることができ、その位置でネットワークを更新することができる（たとえば、ＵＭＴＳネットワーク内で現在実行されているようなルーティングエリア更新（ＲＡＵ）または位置エリア更新（ＬＡＵ）を送信する）。通信ダイアグラム８００の態様は、全体として、または一部だけ、様々なワイヤレス通信デバイスを利用して実装されるものとしてよく、これらは、限定はしないが、図１、図２、図３、図１１、および／または図１２に示されているような基地局１０５、図９に示されているようなデバイス９００、図１および／または図１１に示されているようなコアネットワーク１３０および／または制御装置１２０、図１、図２、図３、図１０、図１１、および／または図１２に示されているようなユーザ機器１１５を含む。
【００６７】
次に図９を参照すると、ブロック図が様々な実施形態によるワイヤレス通信のためのデバイス９００を例示している。デバイス９００は、図１、図２、図３、図１０、図１１、および／または図１２を参照しつつ説明されているユーザ機器１１５の１つまたは複数の態様の例とすることができる。デバイス９００は、プロセッサとすることもできる。デバイス９００は、受信機モジュール９０５、フレキシブル帯域幅情報決定モジュール９１０、および／または送信機モジュール９１５を備えることができる。これらのコンポーネントの各々は、互いに通信し合うものとしてよい。
【００６８】
デバイス９００のこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００６９】
フレキシブル帯域幅情報決定モジュール９１０は、ユーザ機器（ＵＥ）において、受信データの第１のセットを解釈するように構成され得る。フレキシブル帯域幅情報決定モジュール９１０は、フレキシブル帯域幅キャリアに関連付けられている帯域幅情報を決定するように構成され、この帯域幅情報は受信データの第１のセットを利用するＵＥにおいて決定され得る。帯域幅情報は、データの第２のセットが帯域幅情報を含むという点でデータの第１のセットと異なる、データの第２のセットを含み得る。帯域幅情報は、フレキシブル帯域幅キャリアに関連付けられている少なくとも１つの帯域幅スケーリング係数または帯域幅を含むものとしてよい。
【００７０】
フレキシブル帯域幅情報決定モジュール９１０は、ＵＥにおいて、フレキシブル帯域幅キャリアに関連付けられている決定された帯域幅情報を利用してフレキシブル帯域幅キャリアに関してモビリティ管理を円滑にするようにさらに構成され得る。デバイス９００のいくつかの実施形態は、モビリティ管理モジュール（図示せず）を備えることができる。モビリティ管理を円滑にすることは、１つまたは複数のフレキシブル帯域幅キャリアと別のフレキシブル帯域幅キャリアとの間のモビリティを円滑にすることを含んでいてよく、フレキシブル帯域幅キャリアは、同じ帯域幅スケーリング係数および／または同じフレキシブル帯域幅などの、同じ帯域幅情報を利用する。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、異なる帯域幅情報を利用する。モビリティ管理を円滑にすることは、より多くのフレキシブル帯域幅キャリアのうちの１つと通常帯域幅キャリアとの間のモビリティを円滑にすることを含み得る。
【００７１】
フレキシブル帯域幅情報決定モジュール９１０を使用してフレキシブル帯域幅キャリアに関連付けられている帯域幅情報を決定することは、ランダムな帯域幅スケーリング係数列を利用してフレキシブル帯域幅キャリアに関連付けられている帯域幅情報を決定することを含み得る。フレキシブル帯域幅キャリアに関連付けられている帯域幅情報を決定することは、事前に決定された帯域幅スケーリング係数列を利用してフレキシブル帯域幅キャリアに関連付けられている帯域幅情報を決定することを含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。たとえば、この係数列は、メーカーによって設定される、オペレータによって設定される、ＳＩＭで設定される、ＵＥで決定され、その後使用できるように格納される、などのように設定され得る。事前に決定された帯域幅スケーリング係数列を利用すると、事前に決定された係数列からの帯域幅スケーリング係数に基づきフレキシブル帯域幅セルの１つまたは複数のセル探索とブラインドデコードとを利用することができる。
【００７２】
フレキシブル帯域幅情報決定モジュール９１０を使用してフレキシブル帯域幅キャリアに関連付けられている帯域幅情報を決定することは、格納されている帯域幅スケーリング係数を利用することを含み得る。フレキシブル帯域幅キャリアに関連付けられている帯域幅情報を決定することは、１つまたは複数のスペクトル測定結果を利用することを含み得る。フレキシブル帯域幅キャリアに関連付けられている帯域幅情報を決定することは、１つまたは複数のスペクトル計算結果を利用することを含み得る。
【００７３】
フレキシブル帯域幅情報決定モジュール９１０を使用してフレキシブル帯域幅キャリアに関連付けられている帯域幅情報を決定することは、フレキシブル帯域幅キャリアの１つまたは複数の帯域幅スケーリング係数に関する先験的情報を利用することを含み得る。フレキシブル帯域幅キャリアに関連付けられている帯域幅情報を決定することは、所与のエリア内に１つまたは複数の帯域幅スケーリング係数を持つ１つまたは複数の帯域幅キャリアを展開する確率に関する先験的情報を利用することを含み得る。フレキシブル帯域幅キャリアに関連付けられている帯域幅情報を決定することは、遅延順序付けスケーリング係数アプローチと組み合わせて所与のエリア内に１つまたは複数の帯域幅スケーリング係数を持つ１つまたは複数の帯域幅キャリアを展開する確率に関する先験的情報を利用することを含み得る。先験的情報は、少なくともＵＥに送信されるか、またはＵＥで計算され、その後使用されるか、またはＳＩＭを通じてＵＥに供給され得る。帯域幅情報は位置に依存し得る。
【００７４】
いくつかの実施形態において、受信機モジュール９０５は、サービングセルからデータの第１のセットを受信し、またセルの探索および取得時にフラクショナルキャリアから制御チャネルデータを受信するために使用される。いくつかの実施形態において、送信機モジュールは、サービングセル、またはフレキシブル帯域幅情報決定９１０を使用してＮおよび／またはフレキシブル帯域幅が決定されたフレキシブル帯域幅キャリアのいずれかにメッセージを送信するために使用される。いくつかの実施形態において、フレキシブル帯域幅情報決定モジュール９１０は、受信機モジュール９０５に、スケーリング係数Ｎおよび／またはフレキシブル帯域幅などの、異なる帯域幅情報を受信することを指令する。いくつかの実施形態において、送信機モジュール９１５は、フレキシブル波形、スケーリング係数、および／またはフレキシブル帯域幅に関する情報をデバイス９００から基地局またはコアネットワークに送信することができる。いくつかの実施形態において、送信機モジュール９１５は、これらのデバイスまたはシステムがフレキシブル波形を利用できるようにフレキシブル波形、スケーリング係数、および／またはフレキシブル帯域幅などの情報を基地局またはコアネットワークに送信することができる。
【００７５】
図１０は、様々な実施形態により、いくつかの場合においてモビリティ管理を円滑にする構成を含む、ワイヤレス通信用に構成されたユーザ機器１１５−ｅのブロック図１０００である。ユーザ機器１１５−ｅは、パーソナルコンピュータ（たとえば、ラップトップコンピュータ、ネットブックコンピュータ、タブレットコンピュータ、など）、携帯電話、ＰＤＡ、デジタルビデオレコーダー（ＤＶＲ）、インターネットアプライアンス、ゲーム機、電子書籍リーダーなどの様々な構成のうちのどれかを取り得る。ユーザ機器１１５−ｅは、モバイルデバイスの動作を円滑にするため小型バッテリなどの内蔵電源（図示せず）を有することができる。いくつかの実施形態において、ユーザ機器１１５−ｅは、図１、図２、図３、図１１、および／または図１２のユーザ機器１１５、および／または図９のデバイス９００とすることができる。ユーザ機器１１５−ｅは、モードユーザ機器であってもよい。ユーザ機器１１５−ｅは、いくつかの場合においてワイヤレス通信デバイスと称され得る。
【００７６】
ユーザ機器１１５−ｅは、アンテナ１０４０と、トランシーバモジュール１０５０と、メモリ１０８０と、プロセッサモジュール１０７０とを備えることができ、各々、互いに直接的にまたは間接的に通信することができる（たとえば、１つまたは複数のバスを介して）。トランシーバモジュール１０５０は、上で説明されているように、１つまたは複数のネットワークと、アンテナ１０４０および／または１つまたは複数の有線もしくはワイヤレスリンクを介して、双方向通信するように構成される。たとえば、トランシーバモジュール１０５０は、図１、図２、図３、図１１、および／または図１２の基地局１０５と双方向通信するように構成され得る。トランシーバモジュール１０５０は、送信のためパケットを変調し、変調されたパケットをアンテナ１０４０に送り、アンテナ１０４０から受信されたパケットを復調するように構成されたモデムを備えることができる。ユーザ機器１１５−ｅは、単一のアンテナを備えることができるが、ユーザ機器１１５−ｅは、典型的には、複数のリンクに対して複数のアンテナ１０４０を備える。
【００７７】
メモリ１０８０は、ランダムアクセスメモリ（ＲＡＭ）およびリードオンリーメモリ（ＲＯＭ）を含むものとしてよい。メモリ１０８０は、命令を含むコンピュータ可読、コンピュータ実行可能ソフトウェアコード１０８５を格納することもでき、命令は実行されるとプロセッサモジュール１０７０に本明細書で説明されている様々な機能を実行させるように構成されている。あるいは、ソフトウェア１０８５は、プロセッサモジュール１０７０によって直接的には実行可能でないが、（たとえば、コンパイルされ実行されたときに）コンピュータに本明細書で説明されている機能を実行させるように構成され得る。
【００７８】
プロセッサモジュール１０７０は、インテリジェントハードウェアデバイス、たとえば、Ｉｎｔｅｌ（登録商標）ＣｏｒｐｏｒａｔｉｏｎまたはＡＭＤ（登録商標）などの中央演算処理装置（ＣＰＵ）、マイクロコントローラ、特定用途向け集積回路（ＡＳＩＣ）を備えることができる。プロセッサモジュール１０７０は、マイクロフォンを介してオーディオを受信し、オーディオを受信されたオーディオを表すパケット（たとえば、長さ３０ｍｓ）に変換し、オーディオパケットをトランシーバモジュール１０５０に供給し、ユーザが話しているかどうかを示す指示を送るように構成された音声エンコーダ（図示せず）を備えることができる。あるいは、エンコーダは、パケットをトランシーバモジュール１０５０に送るだけであり、ユーザが話しているかどうかを示す指示をパケットそれ自体が送ることを準備する、または差し控える／抑制することができる。
【００７９】
図１０のアーキテクチャによれば、ユーザ機器１１５−ｅは、通信管理モジュール１０６０をさらに備えることができる。通信管理モジュール１０６０は、他のユーザ機器１１５との通信を管理することができる。例として、通信管理モジュール１０６０は、バスを介してユーザ機器１１５−ｅの他のコンポーネントのうちの一部または全部と通信しているユーザ機器１１５−ｅの一コンポーネントであってよい。あるいは、通信管理モジュール１０６０の機能は、トランシーバモジュール１０５０の一コンポーネントとして、一コンピュータプログラム製品として、および／またはプロセッサモジュール１０７０の１つまたは複数の制御装置要素として実装され得る。
【００８０】
ユーザ機器１１５−ｅのコンポーネントは、図９のデバイス９００に関して上で説明されている態様を実装するように構成することができ、簡単にするため、ここでは繰り返さない。たとえば、帯域幅スケーリング係数決定モジュール９１０−ａは、図９のフレキシブル帯域幅情報決定モジュール９１０であってよい。ユーザ機器１１５−ｅは、たとえばデバイス９００に関して上で説明されているようなモビリティ管理を行うように構成されたモビリティ管理モジュール１００５も備えることができる。モビリティ管理モジュール１００５は、いくつかの場合においてハンドオーバーモジュール１０２５と連携するか、またはその一部であってもよい。
【００８１】
ユーザ機器１１５−ｅは、スペクトル識別モジュール１０１５も備え得る。いくつかの場合において、スペクトル識別モジュール１０１５は、帯域幅スケーリング係数決定モジュール９１０−ａの一部として実装され得る。スペクトル識別モジュール１０１５は、フレキシブル波形に利用可能なスペクトルを識別するために利用され得る。いくつかの実施形態において、ハンドオーバーモジュール１０２５は、一方の基地局から別の基地局へのユーザ機器１１５−ｅのハンドオーバー手順を実行するために利用することができる。たとえば、ハンドオーバーモジュール１０２５は、一方の基地局から別の基地局へのユーザ機器１１５−ｅのハンドオーバー手順を実行することができ、その際に、通常波形はユーザ機器１１５−ｅと基地局のうちの１つとの間で利用され、フレキシブル波形は、ユーザ機器と別の基地局との間で利用される。いくつかの場合において、周波数間ハンドオーバーは、同じ基地局内で行われ得るものとしてよく、それにより、ハンドオーバーは、同じ基地局によってサポートされているセル内にあるものとしてよい。スケーリングモジュール１０１０は、フレキシブル波形を生成するようにチップレートをスケーリングし、および／または変更するために利用され得る。いくつかの実施形態において、スケーリングモジュール１０１０は、トランシーバモジュール１０５０の一部として実装され得る。
【００８２】
いくつかの実施形態において、トランシーバモジュール１０５０は、アンテナ１０４０を用いて、ユーザ機器１１５−ｅの他の可能なコンポーネントとともに、フレキシブル波形および／またはスケーリング係数に関する情報をユーザ機器１１５−ｅから基地局またはコアネットワークに送信することができる。トランシーバモジュール１０５０は、基地局を介してネットワークからメッセージを受信する際にも使用され得る。いくつかの実施形態において、トランシーバモジュール１０５０は、アンテナ１０４０を用いて、ユーザ機器１１５−ｅの他の可能なコンポーネントとともに、これらのデバイスまたはシステムがフレキシブル波形を利用できるように、フレキシブル波形および／またはスケーリング係数などの情報を基地局またはコアネットワークに送信することができる。
【００８３】
図１１は、様々な実施形態によりワイヤレス通信を行うように構成され得る通信システム１１００のブロック図を示している。システム１１００は、図１に示されているシステム１００、図２のシステム２００、図３のシステム３００、および／または図１２のシステム１２００の態様の例であってよい。基地局１０５−ｄは、アンテナ１１４５と、トランシーバモジュール１１５０と、メモリ１１７０と、プロセッサモジュール１１６５とを備えることができ、各々、互いに直接的にまたは間接的に通信することができる（たとえば、１つまたは複数のバス上で）。トランシーバモジュール１１５０は、マルチモードユーザ機器であってもよい、ユーザ機器１１５−ｆと、アンテナ１１４５を介して双方向通信するように構成され得る。トランシーバモジュール１１５０（および／または基地局１０５−ｄの他のコンポーネント）も、１つまたは複数のネットワークと双方向通信するように構成され得る。いくつかの場合において、基地局１０５−ｄは、ネットワーク通信モジュール１１７５を通じてネットワーク１３０−ａおよび／または制御装置１２０−ａと通信することができる。基地局１０５−ｄは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の一例とすることができる。制御装置１２０−ａは、ｅＮｏｄｅＢ基地局などと、いくつかの場合において基地局１０５−ｄ内に組み込むことができる。
【００８４】
基地局１０５−ｄは、基地局１０５−ｍおよび基地局１０５−ｎなどの他の基地局１０５と通信することもできる。基地局１０５の各々は、異なる無線アクセス技術などの、異なるワイヤレス通信技術を使用してユーザ機器１１５−ｆと通信することができる。いくつかの場合において、基地局１０５−ｄは、基地局通信モジュール１１１５を利用して基地局１０５−ｍおよび／または１０５−ｎなどの他の基地局と通信することができる。いくつかの実施形態において、基地局通信モジュール１１１５は、ＬＴＥワイヤレス通信技術の範囲内のＸ２インターフェースを提供し、基地局１０５のうちのいくつかの間の通信を提供することができる。いくつかの実施形態において、基地局１０５−ｄは、制御装置１２０−ａおよび／またはネットワーク１３０−ａを通じて他の基地局と通信することができる。
【００８５】
メモリ１１７０は、ランダムアクセスメモリ（ＲＡＭ）およびリードオンリーメモリ（ＲＯＭ）を含むものとしてよい。メモリ１１７０は、命令を含むコンピュータ可読、コンピュータ実行可能ソフトウェアコード１１７１を格納することもでき、命令は実行されるとプロセッサモジュール１１６５に本明細書で説明されている様々な機能を実行させるように構成されている。あるいは、ソフトウェア１１７１は、プロセッサモジュール１１６５によって直接的には実行可能でないが、たとえば、コンパイルされ実行されたときに、コンピュータに本明細書で説明されている機能を実行させるように構成され得る。
【００８６】
プロセッサモジュール１１６５は、インテリジェントハードウェアデバイス、たとえば、Ｉｎｔｅｌ（登録商標）ＣｏｒｐｏｒａｔｉｏｎまたはＡＭＤ（登録商標）などの中央演算処理装置（ＣＰＵ）、マイクロコントローラ、特定用途向け集積回路（ＡＳＩＣ）を含み得る。プロセッサモジュール１１６５は、マイクロフォンを介してオーディオを受信し、オーディオを受信されたオーディオを表すパケット（たとえば、長さ３０ｍｓ）に変換し、オーディオパケットをトランシーバモジュール１１５０に供給し、ユーザが話しているかどうかを示す指示を送るように構成された音声エンコーダ（図示せず）を備えることができる。あるいは、エンコーダは、パケットをトランシーバモジュール１１５０に送るだけであり、ユーザが話しているかどうかを示す指示をパケットそれ自体が送ることを準備する、または差し控える／抑制することができる。
【００８７】
トランシーバモジュール１１５０は、送信のためパケットを変調し、変調されたパケットをアンテナ１１４５に送り、アンテナ１１４５から受信されたパケットを復調するように構成されたモデムを備えることができる。基地局１０５−ｄのいくつかの例は、単一のアンテナ１１４５を備え得るが、基地局１０５−ｄは、好ましくは、キャリアアグリゲーションをサポートすることができる複数のリンク用に複数のアンテナ１１４５を備える。たとえば、１つまたは複数のリンクが、ユーザ機器１１５−ｆとのマクロ通信をサポートするために使用され得る。
【００８８】
図１１のアーキテクチャによれば、基地局１０５−ｄは、通信管理モジュール１１３０をさらに備えることができる。通信管理モジュール１１３０は、他の基地局１０５との通信を管理することができる。例として、通信管理モジュール１１３０は、バスを介して基地局１０５−ｄの他のコンポーネントのうちの一部または全部と通信している基地局１０５−ｄの一コンポーネントであってよい。あるいは、通信管理モジュール１１３０の機能は、トランシーバモジュール１１５０の一コンポーネントとして、一コンピュータプログラム製品として、および／またはプロセッサモジュール１１６５の１つまたは複数の制御装置要素として実装され得る。
【００８９】
いくつかの実施形態において、ハンドオーバーモジュール１１２５は、一方の基地局１０５から別の基地局へのユーザ機器１１５−ｆのハンドオーバー手順を実行するために利用され得る。たとえば、ハンドオーバーモジュール１１２５は、基地局１０５−ｄから別の基地局へのユーザ機器１１５−ｆのハンドオーバー手順を実行することができ、通常波形は、ユーザ機器１１５−ｆと基地局のうちの１つとの間で利用され、フレキシブル波形は、ユーザ機器と別の基地局との間で利用される。ハンドオーバーモジュール１１２５は、システム１１００がＵＭＴＳシステムであり得る場合など、いくつかの実施形態において基地局１０５−ｂの一部よりはむしろ制御装置１２０−ｂの一部であってよい。いくつかの場合において、周波数間ハンドオーバーは、同じ基地局内で行われ得るものとしてよく、それにより、ハンドオーバーは、同じ基地局１０５−ｄによってサポートされているセル内にあるものとしてよい。スケーリングモジュール１１１０は、フレキシブル波形を生成するようにチップレートをスケーリングし、および／または変更するために利用され得る。いくつかの実施形態において、スケーリングモジュール１１１０は、トランシーバ１１５０の一部として実装され得る。
【００９０】
いくつかの実施形態において、トランシーバモジュール１１５０は、アンテナ１１４５を用いて、基地局１０５−ｄの他の可能なコンポーネントとともに、フレキシブル波形および／または帯域幅スケーリング係数に関する情報を基地局１０５−ｄからユーザ機器１１５−ｆに、別の基地局１０５−ｍ／１０５−ｎまたはコアネットワーク１３０−ａに送信することができる。いくつかの実施形態において、トランシーバモジュール１１５０は、アンテナ１１４５を用いて、基地局１０５−ｄの他の可能なコンポーネントとともに、これらのデバイスまたはシステムがフレキシブル波形を利用できるように、フレキシブル波形および／または帯域幅スケーリング係数などの情報をユーザ機器１１５−ｆに、他の基地局１０５−ｍ／１０５−ｎに、またはコアネットワーク１３０−ａに送信することができる。トランシーバモジュール１０５０は、基地局を介してネットワークからメッセージを受信する際にも使用され得る。
【００９１】
図１２は、様々な実施形態による基地局１０５−ｅとユーザ機器１１５−ｇとを含むシステム１２００のブロック図である。このシステム１２００は、図１のシステム１００、図２のシステム２００、図３のシステム３００、および／または図１１のシステム１１００の一例としてよい。基地局１０５−ｅは、アンテナ１２３４−ａから１２３４−ｘを装備することができ、ユーザ機器１１５−ｇは、アンテナ１２５２−ａから１２５２−ｎを装備することができる。基地局１０５−ｅにおいて、送信プロセッサ１２２０は、データソースからデータを受信するものとしてよい。
【００９２】
送信プロセッサ１２２０は、そのデータを処理することができる。送信プロセッサ１２２０は、基準シンボル、およびセル特有の基準信号も生成することができる。送信（ＴＸ）ＭＩＭＯプロセッサ１２３０は、該当する場合に、データシンボル、制御シンボル、および／または基準シンボルに対して空間的処理（たとえば、プリコーディング）を実行し、出力シンボルストリームを送信変調器１２３２−ａから１２３２−ｘに供給することができる。各々の変調器１２３２は、出力サンプルストリームを得るために、それぞれの出力シンボルストリーム（たとえば、ＯＦＤＭなどの）を処理することができる。各々の変調器１２３２は、その出力サンプルストリームを処理（たとえば、アナログ変換、増幅、フィルタリング、およびアップコンバート）して、ダウンリンク（ＤＬ）信号を取得することができる。一例において、変調器１２３２−ａから１２３２−ｘのＤＬ信号は、それぞれ、アンテナ１２３４−ａから１２３４−ｘを介して送信され得る。送信機プロセッサ１２２０は、プロセッサ１２４０から情報を受信することができる。プロセッサ１２４０は、チップレートを変更することおよび／または帯域幅スケーリング係数を利用することを通じてフレキシブル波形を生成するように構成することができ、これは、いくつかの場合において動的に行われ得る。プロセッサ１２４０は、異なるアライメントおよび／またはオフセット手順も備えることができる。プロセッサ１２４０は、スケーリングおよび／またはチップレート情報を利用して、他のサブシステムに対する測定を実行する、他のサブシステムへのハンドオフを実行するなども行える。いくつかの場合において、測定および／またはハンドオフは、基地局１０５−ｄよりはむしろ個別の制御装置において調整がなされ得る。プロセッサ１２４０は、パラメータスケーリングを通じてフレキシブル帯域幅の使用に関連付けられている時間引き伸ばしの効果を反転することができる。いくつかの実施形態において、プロセッサ１２４０は、汎用プロセッサ、送信機プロセッサ１２２０、および／または受信機プロセッサ１２３８の一部として実装され得る。
【００９３】
ユーザ機器１１５−ｇにおいて、ユーザ機器アンテナ１２５２−ａから１２５２−ｎは、基地局１０５−ｅからＤＬ信号を受信することができ、また受信された信号を復調器１２５４−ａから１２５４−ｎにそれぞれ供給することができる。各々の復調器１２５４は、入力サンプルを取得するために、各受信された信号を調節（たとえば、フィルタリング、増幅、ダウンコンバート、およびデジタイズ）することができる。各々の復調器１２５４は、受信されたシンボルを取得するために、入力サンプル（たとえば、ＯＦＤＭなどの）をさらに処理することができる。ＭＩＭＯ検出器１２５６は、すべての復調器１２５４−ａから１２５４−ｎからの受信されたシンボルを取得し、該当する場合に受信されたシンボルに対してＭＩＭＯ検出を実行し、検出されたシンボルを供給することができる。受信プロセッサ１２５８は、検出されたシンボルを処理（たとえば、復調、逆インターリーブ、および復号化）し、ユーザ機器１１５−ｇに対する復号化されたデータをデータ出力に供給し、復号化された制御情報をプロセッサ１２８０、またはメモリ１２８２に供給することができる。
【００９４】
アップリンク（ＵＬ）のときに、ユーザ機器１１５−ｇにおいて、送信機プロセッサ１２６４は、データソースからデータを受信して処理することができる。送信機プロセッサ１２６４は、基準信号に対する基準シンボルを生成することもできる。送信機プロセッサ１２６４からのシンボルは、該当する場合に送信ＭＩＭＯプロセッサ１２６６によってプリコーディングされ、復調器１２５４−ａから１２５４−ｎ（たとえば、ＳＣ−ＦＤＭＡなどの）によってさらに処理され、基地局１０５−ｅから受信された送信パラメータに従って基地局１０５−ｅに送信され得る。送信機プロセッサ１２６４も、チップレートを変更することおよび／または帯域幅スケーリング係数を利用することを通じてフレキシブル波形を生成するように構成することができ、これは、いくつかの場合において動的に行われ得る。送信機プロセッサ１２６４は、プロセッサ１２８０から情報を受信することができる。プロセッサ１２８０は、異なるアライメントおよび／またはオフセット手順を備えることができる。プロセッサ１２８０は、スケーリングおよび／またはチップレート情報を利用して、他のサブシステムに対する測定を実行する、他のサブシステムへのハンドオフを実行する、再選択を実行するなども行える。プロセッサ１２８０は、パラメータスケーリングを通じてフレキシブル帯域幅の使用に関連付けられている時間引き伸ばしの効果を反転することができる。基地局１０５−ｅにおいて、ユーザ機器１１５−ｇからのＵＬ信号は、アンテナ１２３４によって受信され、復調器１２３２によって処理され、該当する場合にＭＩＭＯ検出器１２３６によって検出され、受信プロセッサによってさらに処理され得る。受信プロセッサ１２３８は、復号化されたデータをデータ出力およびプロセッサ１２８０に供給することができる。いくつかの実施形態において、プロセッサ１２８０は、汎用プロセッサ、送信機プロセッサ１２６４、および／または受信機プロセッサ１２５８の一部として実装され得る。
【００９５】
いくつかの実施形態において、プロセッサ１２８０は、様々な実施形態によりモビリティ管理用に構成される。たとえば、ユーザ機器１１５−ｇのプロセッサ１２８０または他のコンポーネントは、ユーザ機器１１５−ｇにおいて、帯域幅スケーリング係数および／またはフレキシブル帯域幅などの、帯域幅情報を決定するように構成され得る。異なるアプローチが、帯域幅情報を決定する際に利用され得るが、このアプローチは、限定はしないが、ランダム順序付け帯域幅スケーリング係数アプローチ、遅延順序付け帯域幅スケーリング係数アプローチ、ＵＥネイバーレコードに帯域幅スケーリング係数値を格納するアプローチ、スペクトル測定アプローチ、スペクトル計算アプローチ、および／または先験的アプローチを含む。いくつかの実施形態は、プロセッサ１２８０において受信データの第１のセットを解釈することを含む。フレキシブル帯域幅キャリアに関連付けられている帯域幅情報は、受信データの第１のセットを利用するプロセッサ１２８０により決定され得る。帯域幅情報は、データの第２のセットが帯域幅情報を含むという点でデータの第１のセットと異なる、データの第２のセットを含み得る。ユーザ機器１１５−ｇにおいて、帯域幅情報を決定することは、決定された帯域幅情報を利用することもできる基地局１０５−ｅによって利用され得る、フレキシブル帯域幅キャリアに関してモビリティ管理を円滑にし得る。
【００９６】
ユーザ機器１１５−ｇのプロセッサ１２８０または他のコンポーネントは、フレキシブル帯域幅キャリアに関連付けられている決定された帯域幅情報を利用してフレキシブル帯域幅キャリアに関してモビリティ管理を円滑にし得る。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、同じスケーリング係数を利用する。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、異なるスケーリング係数を利用する。モビリティ管理を円滑にすることは、より多くのフレキシブル帯域幅キャリアのうちの１つと通常帯域幅キャリアとの間のモビリティを円滑にすることを含み得る。
【００９７】
ユーザ機器１１５−ｇのプロセッサ１２８０または他のコンポーネントを使用してフレキシブル帯域幅キャリアに関連付けられている帯域幅情報を決定することは、ランダムな帯域幅スケーリング係数列を利用してフレキシブル帯域幅キャリアに関連付けられている帯域幅情報を決定することを含み得る。フレキシブル帯域幅キャリアに関連付けられている帯域幅情報を決定することは、事前に決定された帯域幅スケーリング係数列を利用してフレキシブル帯域幅キャリアに関連付けられている帯域幅情報を決定することを含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。事前に決定された帯域幅スケーリング係数列を利用すると、事前に決定された係数列からの帯域幅スケーリング係数に基づきフレキシブル帯域幅セルの１つまたは複数のセル探索とブラインドデコードとを利用することができる。
【００９８】
ユーザ機器１１５−ｇのプロセッサ１２８０または他のコンポーネントによりフレキシブル帯域幅キャリアに関連付けられている帯域幅情報を決定することは、格納されている帯域幅スケーリング係数を利用することを含み得る。フレキシブル帯域幅キャリアに関連付けられている帯域幅情報を決定することは、１つまたは複数のスペクトル測定結果を利用することを含み得る。フレキシブル帯域幅キャリアに関連付けられている帯域幅情報を決定することは、１つまたは複数のスペクトル計算結果を利用することを含み得る。
【００９９】
ユーザ機器１１５−ｇのプロセッサ１２８０または他のコンポーネントによりフレキシブル帯域幅キャリアに関連付けられている帯域幅情報を決定することは、フレキシブル帯域幅キャリアの１つまたは複数の帯域幅スケーリング係数に関する先験的情報を利用することを含み得る。フレキシブル帯域幅キャリアに関連付けられている帯域幅情報を決定することは、所与のエリア内に１つまたは複数の帯域幅スケーリング係数を持つ１つまたは複数の帯域幅キャリアを展開する確率に関する先験的情報を利用することを含み得る。フレキシブル帯域幅キャリアに関連付けられている帯域幅情報を決定することは、遅延順序付けスケーリング係数アプローチと組み合わせて所与のエリア内に１つまたは複数の帯域幅スケーリング係数を持つ１つまたは複数の帯域幅キャリアを展開する確率に関する先験的情報を利用することを含み得る。
【０１００】
図１３Ａを参照すると、様々な実施形態によるワイヤレス通信方法１３００−ａの流れ図が示されている。方法１３００−ａは、様々なワイヤレス通信デバイスを利用して実装されるものとしてよく、これらは、限定はしないが、図１、図２、図３、図１０、図１１、および／または図１２に示されているようなユーザ機器１１５、および／または図９に示されているようなデバイス９００を含む。
【０１０１】
ブロック１３０５で、ユーザ機器（ＵＥ）において、受信データの第１のセットが解釈され得る。ブロック１３１０で、フレキシブル帯域幅キャリアに関連付けられている帯域幅情報が、受信データの第１のセットを利用するＵＥにおいて決定され得る。帯域幅情報は、データの第２のセットがデータの第２のセットが帯域幅情報を含むという点でデータの第１のセットと異なる、データの第２のセットを含み得る。帯域幅情報は、フレキシブル帯域幅キャリアに関連付けられている少なくとも１つの帯域幅スケーリング係数または帯域幅を含むものとしてよい。
【０１０２】
いくつかの実施形態は、ＵＥにおいて、フレキシブル帯域幅キャリアに関連付けられている決定された帯域幅情報を利用してフレキシブル帯域幅キャリアに関してモビリティ管理を円滑にすることを含む。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、同じ帯域幅情報を利用する。モビリティ管理を円滑にすることは、より多くのフレキシブル帯域幅キャリアのうちの１つと別のフレキシブル帯域幅キャリアとの間のモビリティを円滑にすることを含んでいてよく、フレキシブル帯域幅キャリアは、異なる帯域幅情報を利用する。モビリティ管理を円滑にすることは、より多くのフレキシブル帯域幅キャリアのうちの１つと通常帯域幅キャリアとの間のモビリティを円滑にすることを含み得る。
【０１０３】
フレキシブル帯域幅キャリアに関連付けられている帯域幅情報を決定することは、ランダムな帯域幅スケーリング係数列を利用してフレキシブル帯域幅キャリアに関連付けられている帯域幅情報を決定することを含み得る。フレキシブル帯域幅キャリアに関連付けられている帯域幅情報を決定することは、事前に決定された帯域幅スケーリング係数列を利用してフレキシブル帯域幅キャリアに関連付けられている帯域幅情報を決定することを含み得る。事前に決定されたこの係数列は、増加帯域幅係数列を含み得る。事前に決定されたこの係数列は、受信データの第１のセットを送信するセルの現在の帯域幅スケーリング係数から始まる帯域幅スケーリング係数列を含んでいてもよい。事前に決定された帯域幅スケーリング係数列を利用すると、事前に決定された係数列からの帯域幅スケーリング係数に基づきフレキシブル帯域幅セルの１つまたは複数のセル探索とブラインドデコードとを利用することができる。帯域幅スケーリング係数列は、ＵＥによって少なくとも決定され、その後使用できるように格納されるか、またはメーカーによって設定されるか、またはオペレータによって設定されるか、またはＳＩＭで設定されるものとしてよい。これらの技術では、帯域幅スケーリング係数列の代わりにフレキシブル帯域幅列を利用することができる。
【０１０４】
フレキシブル帯域幅キャリアに関連付けられている帯域幅情報を決定することは、格納されている帯域幅スケーリング係数を利用することを含み得る。フレキシブル帯域幅キャリアに関連付けられている帯域幅情報を決定することは、１つまたは複数のスペクトル測定結果を利用することを含み得る。フレキシブル帯域幅キャリアに関連付けられている帯域幅情報を決定することは、１つまたは複数のスペクトル計算結果を利用することを含み得る。帯域幅情報は位置に依存し得る。
【０１０５】
フレキシブル帯域幅キャリアに関連付けられている帯域幅情報を決定することは、フレキシブル帯域幅キャリアの１つまたは複数の帯域幅スケーリング係数に関する先験的情報を利用することを含み得る。フレキシブル帯域幅キャリアに関連付けられている帯域幅情報を決定することは、所与のエリア内に１つまたは複数の帯域幅スケーリング係数を持つ１つまたは複数の帯域幅キャリアを展開する確率に関する先験的情報を利用することを含み得る。フレキシブル帯域幅キャリアに関連付けられている帯域幅情報を決定することは、遅延順序付けスケーリング係数アプローチと組み合わせて、所与のエリア内に１つまたは複数の帯域幅スケーリング係数を持つ１つまたは複数の帯域幅キャリアを展開する確率に関する先験的情報を利用することを含み得る。先験的情報は、少なくともＵＥに送信されるか、またはＵＥで計算され、その後使用されるか、またはＳＩＭを通じてＵＥに供給され得る。
【０１０６】
図１３Ｂを参照すると、様々な実施形態によるワイヤレス通信方法１３００−ｂの流れ図が示されている。方法１３００−ｂは、様々なワイヤレス通信デバイスを利用して実装されるものとしてよく、これらは、限定はしないが、図１、図２、図３、図１０、図１１、および／または図１２に示されているようなユーザ機器１１５、および／または図９に示されているようなデバイス９００を含む。方法１３００−ａは、図１３Ｂの方法１３００−ｂの一例であり得る。
【０１０７】
ブロック１３０５−ａで、フレキシブル帯域幅キャリアに関係する送信は、フレキシブル帯域幅キャリアに関連付けられている帯域幅スケーリング係数を受信することなくユーザ機器において受信され得る。ブロック１３１０−ａで、フレキシブル帯域幅キャリアの帯域幅スケーリング係数は、帯域幅スケーリング係数を受信することなくフレキシブル帯域幅キャリアに関係する受信された送信を利用してＵＥにおいて決定され得る。ブロック１３１５で、決定された帯域幅スケーリング係数は、ＵＥにおいて、帯域幅スケーリング係数に関連付けられているフレキシブル帯域幅キャリアに関してモビリティ管理を円滑にするために利用され得る。
【０１０８】
添付図面に関連して上で述べた詳細な説明は、例示的な実施形態を記述しているであって、実装できる、または請求項の範囲内にある、唯一の実施形態を表すものではない。本明細書全体を通して使用されている「例示的」という言い回しは、「例、場合、または実例として役立つ」ことを意味し、「好ましい」または「他の実施形態よりも有利である」ことを意味しない。詳細な説明は、説明されている技術の理解が得られるようにすることを目的とする具体的詳細を含む。しかし、これらの技術は、これらの具体的詳細がなくても実施され得る。いくつかの場合において、説明されている実施形態の概念をわかりにくくするのを避けるため、よく知られている構造およびデバイスはブロック図形式で示されている。
【０１０９】
情報および信号は、様々な異なる技術と技法とを使用して表すことができる。たとえば、上の説明全体を通して参照されていると思われるデータ、命令、コマンド、情報、信号、ビット、シンボル、およびチップは、電圧、電流、電磁波、磁場または磁気粒子、光場または光粒子、これらの組合せにより表すことができる。
【０１１０】
本明細書の開示に関して説明されている様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組合せにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、または他のそのような構成としても実装され得る。
【０１１１】
本明細書で説明されている機能は、ハードウェア、プロセッサによって実行されるソフトウェア、ファームウェア、またはこれらの組合せで実装することができる。プロセッサによって実行されるソフトウェアで実装された場合、これらの機能は、コンピュータ可読媒体上で１つまたは複数の命令もしくはコードとして格納または送信され得る。他の例および実装は、本開示および付属の請求項の範囲および精神のうちにある。たとえば、ソフトウェアの性質により、上で説明されている機能は、プロセッサによって実行されるソフトウェア、ハードウェア、ファームウェア、ハード配線、またはこれらの組合せを使用して実装することができる。機能を実装する特徴は、機能の一部が異なる物理的ロケーションで実装されるように分散されることを含めて、様々な位置に物理的に配置することもできる。また、本明細書で使用されているように、請求項に、「のうちの少なくとも１つ」が後に続く項目の列挙の中で使用されるような「または」を含めることは、たとえば、「Ａ、Ｂ、またはＣのうちの少なくとも１つ」という列挙がＡまたはＢまたはＣまたはＡＢまたはＡＣまたはＢＣまたはＡＢＣ（すなわち、ＡおよびＢおよびＣ）を意味するような離接的列挙を示す。
【０１１２】
コンピュータ可読媒体は、一方の場所から別の場所へのコンピュータプログラムの転送を容易にする媒体を含むコンピュータ記憶媒体と通信媒体の両方を含む。記憶媒体は、汎用または専用コンピュータによってアクセスされ得る利用可能な任意の媒体とすることができる。例として、限定はしないが、コンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または命令もしくはデータ構造体の形態で所望のプログラムコード手段を搬送または格納するために使用することができ、また汎用もしくは専用コンピュータまたは汎用もしくは専用プロセッサによってアクセスできる他の媒体を備えることができる。また、任意の接続を、コンピュータ可読媒体と呼んで差し支えない。たとえば、ソフトウェアが同軸ケーブル、光ファイバケーブル、ツイストペア線、デジタル加入者回線（ＤＳＬ）、または赤外線、ラジオ、およびマイクロ波などのワイヤレス技術を使用してウェブサイト、サーバ、または他のリモートソースから送信される場合、同軸ケーブル、光ファイバケーブル、ツイストペア線、ＤＳＬ、または赤外線、ラジオ、およびマイクロ波などのワイヤレス技術は、媒体の定義に含まれる。本明細書で使用されているような、「Ｄｉｓｋ」（ディスク）と「Ｄｉｓｃ」（ディスク）は、コンパクトディスク（ＣＤ）とレーザーディスク（登録商標）と光ディスクとデジタル多用途ディスク（ＤＶＤ）とフロッピー（登録商標）ディスクとｂｌｕ−ｒａｙ（登録商標）ディスクとを含み、「Ｄｉｓｋ」は通常磁気的にデータを再現し、「Ｄｉｓｃ」はレーザーを使って光学的にデータを再現する。上記の組合せも、コンピュータ可読媒体の範囲内に含まれる。
【０１１３】
本開示の前記の説明は、当業者が本開示内容を製作または使用することができるようにするために提示されている。開示に対し様々な修正を加えられることは、当業者であればたやすく理解できるであろうし、また本明細書で定義されている一般原理は、本開示の精神または範囲から逸脱することなく他の変更形態にも適用することができる。本開示全体を通して、「例」または「例示的」という言い回しは、例または事例を示し、指示されている例が優先することを暗示することも要求することもしない。そのため、本開示は、本明細書で説明されている実施例および設計に限定されず、本明細書で開示されている原理および新規性のある特徴と一致する最も広い範囲を適用されるものとする。
以下に本願発明の当初の特許請求の範囲に記載された発明を付記する。
［Ｃ１］  ワイヤレス通信のための方法であって、ユーザ機器（ＵＥ）において、受信データの第１のセットを解釈することと、受信データの前記第１のセットを利用する前記ＵＥにおいて、フレキシブル帯域幅キャリアに関連付けられている帯域幅情報を決定することとを備え、前記帯域幅情報は、データの第２のセットが前記帯域幅情報を含むという点でデータの前記第１のセットと異なる、前記データの第２のセットを備える、方法。
［Ｃ２］  前記帯域幅情報は、前記フレキシブル帯域幅キャリアに関連付けられている少なくとも１つの帯域幅スケーリング係数または帯域幅を備えるＣ１に記載の方法。
［Ｃ３］  前記ＵＥにおいて、前記フレキシブル帯域幅キャリアに関連付けられている前記決定された帯域幅情報を利用して前記フレキシブル帯域幅キャリアに関してモビリティ管理を円滑にすることをさらに備えるＣ１に記載の方法。
［Ｃ４］  前記フレキシブル帯域幅キャリアに関連付けられている前記帯域幅情報を決定することは、帯域幅スケーリング係数列を利用して前記フレキシブル帯域幅キャリアに関連付けられている帯域幅スケーリング係数を決定することを備えるＣ１に記載の方法。
［Ｃ５］  前記帯域幅スケーリング係数列は、ランダムな帯域幅スケーリング係数列を備えるＣ４に記載の方法。
［Ｃ６］  前記帯域幅スケーリング係数列は、事前に決定された帯域幅スケーリング係数列を備えるＣ４に記載の方法。
［Ｃ７］  前記事前に決定された係数列は、増加帯域幅係数列を備えるＣ６に記載の方法。
［Ｃ８］  前記事前に決定された係数列は、受信データの前記第１のセットを送信するセルの現在の帯域幅スケーリング係数から始まる帯域幅スケーリング係数列を備えるＣ６に記載の方法。
［Ｃ９］  前記帯域幅スケーリング係数列は、前記ＵＥによって少なくとも決定され、その後使用できるように格納されるか、またはメーカーによって設定されるか、またはオペレータによって設定されるか、またはＳＩＭで設定されるＣ４に記載の方法。
［Ｃ１０］  前記事前に決定された帯域幅スケーリング係数列を利用することは、前記事前に決定された係数列からの前記帯域幅スケーリング係数に基づきフレキシブル帯域幅セルの１つまたは複数のセル探索とブラインドデコードとを利用することを備えるＣ６に記載の方法。
［Ｃ１１］  前記フレキシブル帯域幅キャリアに関連付けられている前記帯域幅情報を決定することは、格納されている帯域幅スケーリング係数を利用して前記フレキシブル帯域幅キャリアに関連付けられている前記帯域幅情報を決定することを備えるＣ１に記載の方法。
［Ｃ１２］  前記フレキシブル帯域幅キャリアに関連付けられている前記帯域幅情報を決定することは、１つまたは複数のスペクトル測定結果を利用して前記フレキシブル帯域幅キャリアに関連付けられている前記帯域幅情報を決定することを備えるＣ１に記載の方法。
［Ｃ１３］  前記フレキシブル帯域幅キャリアに関連付けられている前記帯域幅情報を決定することは、１つまたは複数のスペクトル計算結果を利用して前記フレキシブル帯域幅キャリアに関連付けられている前記帯域幅情報を決定することを備えるＣ１に記載の方法。
［Ｃ１４］  前記フレキシブル帯域幅キャリアに関連付けられている前記帯域幅情報を決定することは、前記フレキシブル帯域幅キャリアの１つまたは複数の帯域幅スケーリング係数に関する先験的情報を利用して前記フレキシブル帯域幅キャリアに関連付けられている前記帯域幅情報を決定することを備えるＣ１に記載の方法。
［Ｃ１５］  前記フレキシブル帯域幅キャリアに関連付けられている前記帯域幅情報を決定することは、所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定することを備えるＣ１に記載の方法。
［Ｃ１６］  前記先験的情報は、少なくとも前記ＵＥに送信されるか、または前記ＵＥで計算され、その後使用されるか、またはＳＩＭを通じて前記ＵＥに供給されるＣ１５に記載の方法。
［Ｃ１７］  前記帯域幅情報は、位置に依存するＣ１に記載の方法。
［Ｃ１８］  前記フレキシブル帯域幅キャリアに関連付けられている前記帯域幅情報を決定することは、事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、前記フレキシブル帯域幅キャリアに関連付けられている前記帯域幅情報を決定することを備えるＣ１に記載の方法。
［Ｃ１９］  モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、同じ帯域幅スケーリング係数を利用するＣ３に記載の方法。
［Ｃ２０］  モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、異なる帯域幅スケーリング係数を利用するＣ３に記載の方法。
［Ｃ２１］  モビリティ管理を円滑にすることは、より多くのフレキシブル帯域幅キャリアのうちの前記１つと通常帯域幅キャリアとの間のモビリティを円滑にすることを備えるＣ３に記載の方法。
［Ｃ２２］  ワイヤレス通信システムであって、ユーザ機器（ＵＥ）において、受信データの第１のセットを解釈するための手段と、受信データの前記第１のセットを利用する前記ＵＥにおいて、フレキシブル帯域幅キャリアに関連付けられている帯域幅情報を決定するための手段であって、前記帯域幅情報は、データの第２のセットが前記帯域幅情報を含むという点でデータの前記第１のセットと異なる、前記データの第２のセットを備える、手段を備えるワイヤレス通信システム。
［Ｃ２３］  前記ＵＥにおいて、前記フレキシブル帯域幅キャリアに関連付けられている前記決定された帯域幅情報を利用して前記フレキシブル帯域幅キャリアに関してモビリティ管理を円滑にするための手段をさらに備えるＣ２２に記載のワイヤレス通信システム。
［Ｃ２４］  前記フレキシブル帯域幅キャリアに関連付けられている前記帯域幅情報を決定するための前記手段は、ランダムな帯域幅スケーリング係数列を利用して前記フレキシブル帯域幅キャリアに関連付けられている前記帯域幅情報を決定するための手段を備えるＣ２２に記載のワイヤレス通信システム。
［Ｃ２５］  前記フレキシブル帯域幅キャリアに関連付けられている前記帯域幅情報を決定するための前記手段は、事前に決定された帯域幅スケーリング係数列を利用して前記フレキシブル帯域幅キャリアに関連付けられている前記帯域幅情報を決定するための手段を備えるＣ２２に記載のワイヤレス通信システム。
［Ｃ２６］  前記事前に決定された係数列は、増加帯域幅係数列を備えるＣ２５に記載のワイヤレス通信システム。
［Ｃ２７］  前記事前に決定された係数列は、受信データの前記第１のセットを送信するセルの現在の帯域幅スケーリング係数から始まる帯域幅スケーリング係数列を備えるＣ２５に記載のワイヤレス通信システム。
［Ｃ２８］  前記事前に決定された帯域幅スケーリング係数列を利用するための前記手段は、前記事前に決定された係数列からの前記帯域幅スケーリング係数に基づきフレキシブル帯域幅セルの１つまたは複数のセル探索とブラインドデコードとを利用するための手段を備えるＣ２５に記載のワイヤレス通信システム。
［Ｃ２９］  前記フレキシブル帯域幅キャリアに関連付けられている前記帯域幅情報を決定するための前記手段は、格納されている帯域幅スケーリング係数を利用して前記フレキシブル帯域幅キャリアに関連付けられている前記帯域幅情報を決定するための手段を備えるＣ２２に記載のワイヤレス通信システム。
［Ｃ３０］  前記フレキシブル帯域幅キャリアに関連付けられている前記帯域幅情報を決定するための前記手段は、１つまたは複数のスペクトル測定結果を利用して前記フレキシブル帯域幅キャリアに関連付けられている前記帯域幅情報を決定するための手段を備えるＣ２２に記載のワイヤレス通信システム。
［Ｃ３１］  前記フレキシブル帯域幅キャリアに関連付けられている前記帯域幅情報を決定するための前記手段は、１つまたは複数のスペクトル計算結果を利用して前記フレキシブル帯域幅キャリアに関連付けられている前記帯域幅情報を決定するための手段を備えるＣ２２に記載のワイヤレス通信システム。
［Ｃ３２］  前記フレキシブル帯域幅キャリアに関連付けられている前記帯域幅情報を決定するための前記手段は、前記フレキシブル帯域幅キャリアの１つまたは複数の帯域幅スケーリング係数に関する先験的情報を利用して前記フレキシブル帯域幅キャリアに関連付けられている前記帯域幅スケーリング係数を決定するための手段を備えるＣ２２に記載のワイヤレス通信システム。
［Ｃ３３］  前記フレキシブル帯域幅キャリアに関連付けられている前記帯域幅情報を決定するための前記手段は、所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定するための手段を備えるＣ２２に記載のワイヤレス通信システム。
［Ｃ３４］  ワイヤレス通信システムのためのコンピュータプログラム製品であって、ユーザ機器（ＵＥ）において、受信データの第１のセットを解釈するためのコードと、受信データの前記第１のセットを利用する前記ＵＥにおいて、フレキシブル帯域幅キャリアに関連付けられている帯域幅情報を決定するためのコードであって、前記帯域幅情報は、データの第２のセットが前記帯域幅情報を含むという点でデータの前記第１のセットと異なる、前記データの第２のセットを備える、コードとを備える非一時的なコンピュータ可読媒体を備えるワイヤレス通信システムのためのコンピュータプログラム製品。
［Ｃ３５］  前記非一時的なコンピュータ可読媒体は前記ＵＥにおいて、前記フレキシブル帯域幅キャリアに関連付けられている前記決定された帯域幅情報を利用して前記フレキシブル帯域幅キャリアに関してモビリティ管理を円滑にするためのコードをさらに備えるＣ３４に記載のコンピュータプログラム製品。
［Ｃ３６］  前記フレキシブル帯域幅キャリアに関連付けられている前記帯域幅情報を決定するための前記コードは、ランダムな帯域幅スケーリング係数列を利用して前記フレキシブル帯域幅キャリアに関連付けられている前記帯域幅情報を決定するためのコードを備えるＣ３４に記載のコンピュータプログラム製品。
［Ｃ３７］  前記フレキシブル帯域幅キャリアに関連付けられている前記帯域幅情報を決定するための前記コードは、事前に決定された帯域幅スケーリング係数列を利用して前記フレキシブル帯域幅キャリアに関連付けられている前記帯域幅情報を決定するためのコードを備えるＣ３４に記載のコンピュータプログラム製品。
［Ｃ３８］  前記事前に決定された係数列は、増加帯域幅係数列を備えるＣ３７に記載のコンピュータプログラム製品。
［Ｃ３９］  前記事前に決定された係数列は、受信データの前記第１のセットを送信するセルの現在の帯域幅スケーリング係数から始まる帯域幅スケーリング係数列を備えるＣ３７に記載のコンピュータプログラム製品。
［Ｃ４０］  前記事前に決定された帯域幅スケーリング係数列を利用するための前記コードは、前記事前に決定された係数列からの前記帯域幅スケーリング係数に基づきフレキシブル帯域幅セルの１つまたは複数のセル探索とブラインドデコードとを利用するためのコードを備えるＣ３７に記載のコンピュータプログラム製品。
［Ｃ４１］  前記フレキシブル帯域幅キャリアに関連付けられている前記帯域幅情報を決定するための前記コードは、格納されている帯域幅情報を利用して前記フレキシブル帯域幅キャリアに関連付けられている前記帯域幅情報を決定するためのコードを備えるＣ３４に記載のコンピュータプログラム製品。
［Ｃ４２］  前記フレキシブル帯域幅キャリアに関連付けられている前記帯域幅情報を決定するための前記コードは、１つまたは複数のスペクトル測定結果を利用して前記フレキシブル帯域幅キャリアに関連付けられている前記帯域幅情報を決定するためのコードを備えるＣ３４に記載のコンピュータプログラム製品。
［Ｃ４３］  前記フレキシブル帯域幅キャリアに関連付けられている前記帯域幅情報を決定するための前記コードは、１つまたは複数のスペクトル計算結果を利用して前記フレキシブル帯域幅キャリアに関連付けられている前記帯域幅情報を決定するためのコードを備えるＣ３４に記載のコンピュータプログラム製品。
［Ｃ４４］  前記フレキシブル帯域幅キャリアに関連付けられている前記帯域幅情報を決定するための前記コードは、前記フレキシブル帯域幅キャリアの１つまたは複数の帯域幅スケーリング係数に関する先験的情報を利用して前記フレキシブル帯域幅キャリアに関連付けられている前記帯域幅情報を決定するためのコードを備えるＣ３４に記載のコンピュータプログラム製品。
［Ｃ４５］  前記フレキシブル帯域幅キャリアに関連付けられている前記帯域幅情報を決定するための前記コードは、所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定するためのコードを備えるＣ３４に記載のコンピュータプログラム製品。
［Ｃ４６］  ユーザ機器（ＵＥ）において、受信データの第１のセットを解釈することと、受信データの前記第１のセットを利用する前記ＵＥにおいて、フレキシブル帯域幅キャリアに関連付けられている帯域幅情報を決定することであって、前記帯域幅情報は、データの第２のセットが前記帯域幅情報を含むという点でデータの前記第１のセットと異なる、前記データの第２のセットを備える、決定することとを行うように構成された少なくとも１つのプロセッサと、前記少なくとも１つのプロセッサに結合された少なくとも１つのメモリを備えるワイヤレス通信デバイス。
［Ｃ４７］  前記少なくとも１つのプロセッサは、前記ＵＥにおいて、前記フレキシブル帯域幅キャリアに関連付けられている前記決定された帯域幅情報を利用して前記フレキシブル帯域幅キャリアに関してモビリティ管理を円滑にするようにさらに構成されるＣ４６に記載のワイヤレス通信デバイス。
［Ｃ４８］  前記フレキシブル帯域幅キャリアに関連付けられている前記帯域幅情報を決定するように構成された前記少なくとも１つのプロセッサは、ランダムな帯域幅スケーリング係数列を利用して前記フレキシブル帯域幅キャリアに関連付けられている前記帯域幅情報を決定するように構成されるＣ４６に記載のワイヤレス通信デバイス。
［Ｃ４９］  前記フレキシブル帯域幅キャリアに関連付けられている前記帯域幅情報を決定するように構成された前記少なくとも１つのプロセッサは、事前に決定された帯域幅スケーリング係数列を利用して前記フレキシブル帯域幅キャリアに関連付けられている前記帯域幅情報を決定するように構成されるＣ４６に記載のワイヤレス通信デバイス。
［Ｃ５０］  前記事前に決定された係数列は、増加帯域幅スケーリング係数列を備えるＣ４９に記載のワイヤレス通信デバイス。
［Ｃ５１］  前記事前に決定された係数列は、受信データの前記第１のセットを送信するセルの現在の帯域幅スケーリング係数から始まる帯域幅スケーリング係数列を備えるＣ４９に記載のワイヤレス通信デバイス。
［Ｃ５２］  前記事前に決定された帯域幅スケーリング係数列を利用するように構成された前記少なくとも１つのプロセッサは、前記事前に決定された係数列からの前記帯域幅スケーリング係数に基づきフレキシブル帯域幅セルの１つまたは複数のセル探索とブラインドデコードとを利用するように構成されるＣ４９に記載のワイヤレス通信デバイス。
［Ｃ５３］  前記フレキシブル帯域幅キャリアに関連付けられている前記帯域幅情報を決定するように構成された前記少なくとも１つのプロセッサは、格納されている帯域幅情報を利用して前記フレキシブル帯域幅キャリアに関連付けられている前記帯域幅情報を決定するように構成されるＣ４６に記載のワイヤレス通信デバイス。
［Ｃ５４］  前記フレキシブル帯域幅キャリアに関連付けられている前記帯域幅情報を決定するように構成された前記少なくとも１つのプロセッサは、１つまたは複数のスペクトル測定結果を利用して前記フレキシブル帯域幅キャリアに関連付けられている前記帯域幅情報を決定するように構成されるＣ４６に記載のワイヤレス通信デバイス。
［Ｃ５５］  前記フレキシブル帯域幅キャリアに関連付けられている前記帯域幅情報を決定するように構成された前記少なくとも１つのプロセッサは、１つまたは複数のスペクトル計算結果を利用して前記フレキシブル帯域幅キャリアに関連付けられている前記帯域幅情報を決定するように構成されるＣ４６に記載のワイヤレス通信デバイス。
［Ｃ５６］  前記フレキシブル帯域幅キャリアに関連付けられている前記帯域幅情報を決定するように構成された前記少なくとも１つのプロセッサは、前記フレキシブル帯域幅キャリアの１つまたは複数の帯域幅スケーリング係数に関する先験的情報を利用して前記フレキシブル帯域幅キャリアに関連付けられている前記帯域幅情報を決定するように構成されるＣ４６に記載のワイヤレス通信デバイス。
［Ｃ５７］  前記フレキシブル帯域幅キャリアに関連付けられている前記帯域幅情報を決定するように構成された前記少なくとも１つのプロセッサは、所与のエリア内に１つまたは複数の帯域幅スケーリング係数を持つ１つまたは複数の帯域幅キャリアを展開する確率に関する先験的情報を利用して前記フレキシブル帯域幅キャリアに関連付けられている前記帯域幅情報を決定するように構成されるＣ４６に記載のワイヤレス通信デバイス。
［Ｃ５８］  前記フレキシブル帯域幅キャリアに関連付けられている前記帯域幅情報を決定するように構成された前記少なくとも１つのプロセッサは、事前に決定された帯域幅スケーリング係数列と組み合わせて、所与のエリア内に１つまたは複数の帯域幅スケーリング係数を持つ１つまたは複数の帯域幅キャリアを展開する確率に関する先験的情報を利用して、前記フレキシブル帯域幅キャリアに関連付けられている前記帯域幅情報を決定するように構成されるＣ４６に記載のワイヤレス通信デバイス。
［Ｃ５９］  モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、同じ帯域幅情報を利用して前記フレキシブル帯域幅キャリアに関連付けられている前記帯域幅情報を決定するＣ４７に記載のワイヤレス通信デバイス。
［Ｃ６０］  モビリティ管理を円滑にすることは、より多くのフレキシブル帯域幅キャリアのうちの前記１つと別のフレキシブル帯域幅キャリアとの間のモビリティを円滑にすることを備え、前記フレキシブル帯域幅キャリアは、異なる帯域幅スケーリング係数を利用して前記フレキシブル帯域幅キャリアに関連付けられている前記帯域幅情報を決定するＣ４７に記載のワイヤレス通信デバイス。
［Ｃ６１］  モビリティ管理を円滑にすることは、より多くのフレキシブル帯域幅キャリアのうちの前記１つと通常帯域幅キャリアとの間のモビリティを円滑にして前記フレキシブル帯域幅キャリアに関連付けられている前記帯域幅情報を決定することを備えるＣ４７に記載のワイヤレス通信デバイス。
【図１】
0005911968.tif 000004
【図２Ａ】
0005911968.tif 000005
【図２Ｂ】
0005911968.tif 000006
【図３】
0005911968.tif 000007
【図４】
0005911968.tif 000008
【図５】
0005911968.tif 000009
【図６Ａ】
0005911968.tif 000010
【図６Ｂ】
0005911968.tif 000011
【図７】
0005911968.tif 000012
【図８】
0005911968.tif 000013
【図９】
0005911968.tif 000014
【図１０】
0005911968.tif 000015
【図１１】
0005911968.tif 000016
【図１２】
0005911968.tif 000017
【図１３Ａ】
0005911968.tif 000018
【図１３Ｂ】
0005911968.tif 000019